(57)【要約】【課題】  大容量通信方式に対応したマルチバンド・マルチモード無線通信装置の小型化および点消費電力化を可能とする。【解決手段】  マルチバンド・マルチモード無線通信装置は、第１のアンテナと、第２のアンテナと、ＦＤＤ方式に対応した第１の送信回路、第１の受信回路および第２の受信回路と、ＴＤＤ方式に対応した第１の送信回路および第３の受信回路と、デュプレクサと、ＳＰ３Ｔのスイッチと、ベースバンド信号処理装置とを有する。第１のアンテナとＳＰ３Ｔのスイッチを介して第２の送信回路、第３の受信回路およびデュプレクサが各々接続され、デュプレクサは第１の送信回路および第１の受信回路に接続され、第２のアンテナは第２の受信回路に接続される。第１および第２のアンテナにおいて受信されたＦＤＤ方式に対応する受信信号は、各々第１および第２の受信回路を介してベースバンド信号処理装置に入力され、合成処理される。【選択図】  図２Ａ
2007019939.tif 000002
【特許請求の範囲】
【請求項１】
周波数分割多重化通信方式に対応し、第１のアンテナで受けた受信信号を入力する第１の受信回路と、
周波数分割多重化通信方式に対応し、前記第１のアンテナとは別の第２のアンテナで受けた受信信号を入力する第２の受信回路と、
前記第１および第２の受信回路に共通に局部発振周波数を供給する局部発振回路とを具備して成り、
前記第１のアンテナで受けた受信信号と前記第２のアンテナで受けた受信信号とが互いに合成されて前記受信信号として得られるよう構成され、
前記第１および第２の受信回路と前記局部発振回路とが同一の半導体素子上に実装されている
ことを特徴とする無線通信装置。
【請求項２】
請求項１において、
前記第１の受信回路および前記第２の受信回路の少なくとも一方がダイレクトダウンコンバージョン方式を使用する
ことを特徴とする無線通信装置。
【請求項３】
請求項１において、
前記第１の受信回路および前記第２の受信回路の少なくとも一方がローＩＦダウンコンバージョン方式を使用する
ことを特徴とする無線通信装置。
【請求項４】
請求項１において、
前記無線通信装置が、Ｗ−ＣＤＭＡ対応の無線通信装置であることを特徴とする無線通信装置。
【請求項５】
請求項１において、
前記無線通信装置が、ＨＳＤＰＡ方式対応の無線通信装置であることを特徴とする無線通信装置。
【請求項６】
請求項１において、
前記無線通信装置が、ＥＶ−ＤＯ方式対応の無線通信装置であることを特徴とする無線通信装置。
【請求項７】
周波数分割多重化通信方式に対応した第１の受信回路および第２の受信回路と、前記無線通信方式とは異なる無線通信方式用の第３の受信回路とを有するマルチバンド・マルチモード無線通信装置が、３つではなく２つのアンテナを用いて実現される、
ことを特徴とする無線通信装置。
【請求項８】
請求項７において、
前記無線通信方式とは異なる無線通信方式が、時間分割多重化通信方式であることを特徴とする無線通信装置。
【請求項９】
請求項７において、
前記第１および第２の受信回路に局部周波数を供給する局部発振回路を有し、
前記第１の受信回路と前記第２の受信回路と第３の受信回路と前記局部発振回路とが同一の半導体素子上に実装される
ことを特徴とする無線通信装置。
【請求項１０】
請求項７において、
前記無線通信装置が、シングルバンドＧＳＭおよびシングルバンドＷ−ＣＤＭＡに対応するマルチバンド・マルチモード無線通信装置であることを特徴とする無線通信装置。
【請求項１１】
請求項７において、
第１のアンテナと、第２のアンテナと、ＦＤＤ方式に対応した第１の送信回路および第１の受信回路と、ＦＤＤ方式に対応した第２の受信回路と、時間分割多重化通信方式ＴＤＤ方式に対応した第２の送信回路および第３の受信回路と、デュプレクサと、1個のＳＰ３Ｔのスイッチと、ベースバンド信号処理装置とを具備して成り、
前記デュプレクサを介して前記第１のアンテナと前記第１の送信回路および前記第１の受信回路が接続され、
前記ＳＰ３Ｔのスイッチを介して前記第２のアンテナと第２の送信回路、第２の受信回路、前記第３の受信回路が各々接続され、
前記第１および第２のアンテナにおいて受信されたＦＤＤ方式に対応する受信信号を各々前記第１および第２の受信回路を介して前記ベースバンド信号処理装置に入力し、該ベースバンド信号処理装置において合成する機能を有することを特徴とする無線通信装置。
【請求項１２】
請求項７において、
第２のアンテナと、第３のアンテナと、ＦＤＤ方式に対応した第１の送信回路および第１の受信回路と、ＦＤＤ方式に対応した第２の受信回路と、時間分割多重化通信方式ＴＤＤ方式に対応した第２の送信回路および第３の受信回路と、デュプレクサと、ＳＰ３Ｔのスイッチと、ベースバンド信号処理装置とを具備して成り、
前記第２のアンテナと前記第２の受信回路が接続され、
前記第３のアンテナと前記ＳＰ３Ｔのスイッチを介して前記第２の送信回路、前記第３の受信回路および前記デュプレクサが各々接続され、
該デュプレクサは前記第１の送信回路および前記第１の受信回路に接続され、
前記第１および第２のアンテナにおいて受信されたＦＤＤ方式に対応する受信信号を各々前記第１および第２の受信回路を介して前記ベースバンド信号処理装置に入力し、該ベースバンド信号処理装置において合成する機能を有することを特徴とする無線通信装置。
【請求項１３】
請求項７において、
第１の送信および受信周波数と第２の送信および受信周波数の両方の周波数帯域を使用する無線通信装置であって、
利得可変増幅器および変調回路を含む1個の受信回路ブロックが、前記第２の受信周波数を使用するＷ−ＣＤＭＡおよび前記第２の受信周波数を使用するＧＳＭの両方式に対応し、
利得可変増幅器および変調回路を含む単一の受信回路ブロックが、前記第２の受信周波数を使用するＷ−ＣＤＭＡおよび前記第２の受信周波数を使用するＧＳＭの両方式に対応することを特徴とする無線通信装置。
【請求項１４】
請求項１３において、
前記第２の受信周波数において、フィルタおよび利得可変増幅器をＧＳＭとＷ−ＣＤＭＡとで共有し、復調回路はＧＳＭとＷ−ＣＤＭＡで別個の復調回路を用いることを特徴とする無線通信装置。
【請求項１５】
請求項７において、
第１の送信および受信周波数を使用するＷ−ＣＤＭＡと第２の送信および受信周波数を使用するＷ−ＣＤＭＡとで、Ｄ/Ａ変換器およびＡ/Ｄ変換器を共有することを特徴とする無線通信装置。
【請求項１６】
請求項７において、
第１の送信および受信周波数を使用するＷ−ＣＤＭＡ用の一対の送受信回路ブロック及び受信回路ブロックから構成されるダイバーシティ受信機能を有する無線通信装置部と、
第２の送信および受信周波数を使用するＷ−ＣＤＭＡ用の一対の送受信回路ブロックに加えて受信回路ブロックから構成されるダイバーシティ受信機能を有する無線通信装置部と、
第２および第３の送信周波数を使用するＧＳＭ用の送信回路ブロックと、
第２の受信周波数を使用するＧＳＭ用の受信回路ブロックと、
第３の受信周波数を使用するＧＳＭ用の受信回路ブロックとを有することを特徴とする無線通信装置。
【請求項１７】
２つのアンテナと、周波数分割多重化通信方式に対応した第１の受信回路および第２の受信回路と、前記無線通信方式とは異なる無線通信方式用の第３の受信回路と、前記２つのアンテナと前記各受信回路との接続状態を切り替えるスイッチと、ベースバンド信号処理装置とを具備して成り、
前記ベースバンド信号処理装置は、前記通信方式に応じて前記スイッチの切替えを制御する機能を有することを特徴とする携帯電話端末。
【請求項１８】
請求項１７において、
前記携帯電話端末は、フロントエンド部と変復調部とベースバンド信号処理装置とを具備して成り、
前記フロントエンド部は主にフィルタおよびデュプレクサから構成される受動部品モジュール及び主に電力増幅器から構成される電力増幅器モジュールを有し、
前記変復調部は、主に変調回路、復調回路および局部発振回路から構成される変復調モジュールを有し、
前記フロントエンド部と変復調部が一体のモジュールに形成されていることを特徴とする携帯電話端末。
【請求項１９】
請求項１７において、前記ベースバンド信号処理装置は、前記２つのアンテナにおいて受信されたＦＤＤ方式に対応する受信信号を合成する機能を有することを特徴とする携帯電話端末。
【請求項２０】
請求項１７において、
前記携帯電話端末は、受動部品モジュールと、電力増幅器モジュールと、変調モジュールと、復調モジュールと、ベースバンド信号処理装置とを具備して成り、
前記受動部品モジュール、前記電力増幅器モジュール、前記変調モジュール、前記復調モジュール及び前記ベースバンド信号処理装置が一体のモジュールに形成されていることを特徴とする携帯電話端末。
【発明の詳細な説明】
【技術分野】
【０００１】
本発明は、携帯電話端末やＰＤＡ（Personal Digital Assistance）に代表される移動体無線通信装置に係り、特に、高周波回路部品における複数の周波数に対応するためのマルチバンド化、複数の通信方式に対応するマルチバンド・マルチモード無線通信装置及び携帯電話端末に関する。
【背景技術】
【０００２】
従来、マルチモード携帯電話端末の一例として、ダイバーシティ受信技術を用いるものがあった（例えば、特許文献１の段落００２０乃至００２３および図５参照）。
【０００３】
【特許文献１】特開２０００−１３２７４号公報
【発明の開示】
【発明が解決しようとする課題】
【０００４】
携帯電話に代表される移動体通信には、複数の通信方式が存在する。  
例えば欧州では、第２世代無線通信方式として普及しているＧＳＭ（Global System for Mobile Communication）に加えて、近年サービスが開始された第３世代無線通信方式であるＷ−ＣＤＭＡ（Wide-band Code Division Multiple Access）がある。また、北米では第２世代無線通信方式であるＧＳＭに加えて、第３世代無線通信方式であるｃｄｍａ２０００−１ｘ（Code Division Multiple Access 2000-1x）が普及している。
【０００５】
更に、画像や動画などの大容量データの高速伝送に対応するため、ＧＳＭ、Ｗ−ＣＤＭＡ、ｃｄｍａ２０００−１ｘ各々に対応したＥＤＧＥ（Enhanced Data Rate for GSM Evolution）、ＨＳＤＰＡ（High Speed Downlink Packet Access）、ｃｄｍａ２０００−１ｘ  ＥＶ−ＤＯ（Code Division Multiple Access 2000-1x Evolution-Data Only）方式がある。
【０００６】
これらの通信方式のうち、ＧＳＭは、ＧＭＳＫ（Gaussian filtered Minimum Shift Keying）変調を用いた時間分割多重化通信方式すなわちＴＤＤ（Time Division Duplex）方式であり、Ｗ−ＣＤＭＡおよびｃｄｍａ２０００−１ｘは、ＱＰＳＫ（Quadrature Phase Shift Keying）変調を用いた周波数分割多重化通信方式すなわちＦＤＤ（Frequency Division Duplex）方式である。このため、ＧＳＭ用通信回路とＷ−ＣＤＭＡあるいはｃｄｍａ２０００−１ｘ用通信回路とでは、周波数変復調回路およびアンテナ周辺回路の構成が大きく異なる。
【０００７】
また、ＨＳＤＰＡやｃｄｍａ２０００−１ｘ  ＥＶ−ＤＯでは下り回線（基地局から端末への通信）のデータ伝送容量を増加させるため、端末の受信感度向上が必要となっている。受信感度向上技術としてダイバーシティ受信がある。ダイバーシティ受信は、２つのアンテナおよび各々のアンテナに接続される２つの受信機を用い、各受信機の受信信号をベースバンド信号処理において合成することにより、受信感度を向上させる技術である。
【０００８】
このため、上記ＧＳＭ、Ｗ−ＣＤＭＡ、ｃｄｍａ２０００−１ｘ、ＥＤＧＥ、ＨＳＤＰＡ、ｃｄｍａ２０００−１ｘ  ＥＶ−ＤＯに対応する携帯電話端末は、上記ＧＳＭ、Ｗ−ＣＤＭＡ、ｃｄｍａ２０００−１ｘ、ＥＤＧＥに対応する携帯電話端末に加えてダイバーシティ用アンテナおよび受信回路が必要となる。
【０００９】
上記特許文献１に開示された例は、Ｗ−ＣＤＭＡ/ＰＤＣ（Personal Digital Cellular System）のデュアルモード携帯電話端末の無線部の構成を示したものである。特許文献１において、図５中の参照符号および構成の一部に関しては説明がなされていないものの、前後の説明から各符号は次のように解釈できる。１１０、１１５および１１７はアンテナ、１１１、１１３はスイッチ、１１８はデュプレクサである。１３６はＰＤＣ用送信回路、１１２はＰＤＣ用受信回路、１３５はＷ−ＣＤＭＡ用送信回路、１１４はＷ−ＣＤＭＡ用受信回路、１１６は受信回路である。
【００１０】
従って、同図５の回路構成は次のように解釈できる。ＰＤＣ用送信回路１３６がスイッチ１１３および１３４を介してアンテナ１１７に接続され、ＰＤＣ用受信回路１１２がスイッチ１１１を介してアンテナ１１０あるいはスイッチ１１１、１１３および１３４を介してアンテナ１１７に接続されることにより、ＰＤＣ用送受信器が実現される。一方、Ｗ−ＣＤＭＡ用送信回路１３５がデュプレクサ１１８およびスイッチ１３４を介してアンテナ１１７に接続され、Ｗ−ＣＤＭＡ用受信回路１１４がデュプレクサ１１８およびスイッチ１３４を介してアンテナ１１７に接続されることにより、Ｗ−ＣＤＭＡ用送受信器が実現される。また、図５がＷ−ＣＤＭＡ/ＰＤＣのデュアルモード携帯電話端末の無線部の構成を示していることから、受信回路１１６は、Ｗ−ＣＤＭＡ用ダイバーシティ受信回路の機能を有すると解釈できる。更に、受信回路１１６のみに接続されるアンテナ１１５は、Ｗ−ＣＤＭＡ用ダイバーシティアンテナの機能を有すると解釈できる。
【００１１】
しかしながら、特許文献１に開示されている技術では、Ｗ−ＣＤＭＡ用アンテナおよびＰＤＣ用アンテナに加えてＷ−ＣＤＭＡダイバーシティ用アンテナの計３本のアンテナが必要であり、端末の小型化が困難となる問題があった。
【００１２】
本発明の目的は、小型化が可能なマルチバンド・マルチモード無線通信装置を提供することにある。
【００１３】
本発明の他の目的は、低消費電力化が可能なマルチバンド・マルチモード無線通信装置を提供することにある。
【００１４】
本発明の他の目的は、高速大容量の通信方式に対応して小型化および点消費電力化が可能なマルチバンド・マルチモード無線通信装置を提供することにある。
【００１５】
本発明の前記ならびにその他の目的と新規な特徴は、本明細書の記述および添付図面から明らかになるであろう。
【課題を解決するための手段】
【００１６】
本願において開示される発明のうち、代表的なものの概要を簡単に説明すれば、次の通りである。  
本発明の無線通信装置は、周波数分割多重化通信方式に対応し、第１のアンテナで受けた受信信号を入力する第１の受信回路と、周波数分割多重化通信方式に対応し、前記第１のアンテナとは別の第２のアンテナで受けた受信信号を入力する第２の受信回路と、前記第１および第２の受信回路に共通に局部発振周波数を供給する局部発振回路とを具備して成る、ダイバーシティアンテナを備えた無線通信装置であり、前記第１のアンテナで受けた受信信号と前記第２のアンテナで受けた受信信号とが互いに合成されて前記受信信号として得られるよう構成される。さらに、前記第１および第２の受信回路と前記局部発振回路とが同一の半導体素子上に実装されていることを特徴とする。
【発明の効果】
【００１７】
本発明によれば、小型化が可能なマルチバンド・マルチモード無線通信装置を提供する  
【００１８】
ことができる。
【発明を実施するための最良の形態】
【００１９】
以下、本発明を実施するための最良の形態を図面に基づいて詳細に説明する。なお、発明を実施するための最良の形態を説明するための全図において、同一の機能を有する部材には同一の符号を付し、その繰り返しの説明は省略する。
【００２０】
以下に述べる本発明のマルチバンド・マルチモード無線通信装置は、ＨＳＤＰＡやｃｄｍａ２０００−１ｘＥＶ−ＤＯ等の、少なくとも１Ｍｂｐｓ以上の、高速大容量の通信方式に対応するものである。
【００２１】
また、本発明のマルチバンド・マルチモード無線通信装置の構造、動作および効果を説明する上で簡便性を図るため、上記マルチバンド・マルチモード無線通信装置を具備する回路として、携帯電話端末を例に挙げる。
【００２２】
最初に、実施の形態１乃至４として、ＦＤＤ方式のシングルバンドＷ−ＣＤＭＡ（送信周波数：１９２０〜１９８０ＭＨｚ、受信周波数：２１１０〜２１７０ＭＨｚ）に対応する携帯電話端末、あるいは、このシングルバンドＷ−ＣＤＭＡとＴＤＤ方式のシングルバンドＧＳＭ（送信周波数：１８５０〜１９１０ＭＨｚ、受信周波数：１９３０〜１９９０ＭＨｚ）に対応する携帯電話端末について説明する。
【００２３】
（実施の形態１）
図１Ａは、本発明の一実施の形態であるＷ−ＣＤＭＡ対応のマルチバンド・マルチモード無線通信装置を具備した携帯電話端末を示した回路図である。
【００２４】
図１Ａに示した本実施の形態のマルチバンド・マルチモード無線通信装置では、上記無線通信方式に対応したＦＤＤ方式用の第１の送信回路と、ＦＤＤ方式用の第１の受信回路および第２の受信回路と、第１および第２の受信回路に局部周波数を供給する局部発振回路と、第１および第２のアンテナを有する。第１のアンテナ１１０ａに対応する第１の送信回路は、変調回路２００ａを含み、第１のアンテナ１１０ａに対応する第１の受信回路は、利得可変増幅器４５ａおよび復調回路２１０ａを含んでいる。第２のアンテナ１１０ｂに対応する第２の受信回路は、利得可変増幅器４５ｃおよび復調回路２１０ｂを含んでいる。第１および第２の受信回路と、これらの受信回路に局部周波数を供給する局部発振回路２２０ｂとは、同一の半導体素子３００a上に実装される。
【００２５】
より詳細に説明すると、図１Ａにおいて、１０はベースバンド信号処理装置、２０ａおよび２０ａ'はディジタル/アナログ変換器（Ｄ/Ａ変換器）、３０ａ〜３０ｂ'はアナログ/ディジタル変換器（Ａ/Ｄ変換器）である。４０ａ〜４０ｂは利得可変増幅器、４５ａ〜４５ｄ'は利得可変増幅器、５０ａ〜５０ａ' および５５ａ〜５５ｂ'はミキサである。６０ａおよび６０ｂは発振器、７０ａおよび７０ｂは移相器、８０ａ〜８０ｂおよび８５ａ〜８５ｂはフィルタである。９０ａは電力増幅器、１１０ａ、１１０ｂは第１および第２のアンテナである。
【００２６】
１００ａは、主にフィルタ８０ｂおよびフィルタ８５ａから構成されるデュプレクサである。２００ａは、主に利得可変増幅器４０ａ〜４０ａ'、ミキサ５０ａ〜５０ａ'から構成される変調回路である。２１０ａは、主にミキサ５５ａ〜５５ａ'、利得可変増幅器４５ｂ〜４５ｂ'から構成される復調回路である。２１０ｂは、主にミキサ５５ｂ〜５５ｂ'、利得可変増幅器４５ｄ〜４５ｄ'から構成される復調回路である。２２０ａは、主に発振器６０ａおよび移相器７０ａから構成される局部発振回路であり、２２０ｂは、主に発振器６０ａおよび移相器７０ａから構成される局部発振回路である。半導体素子３００ａは、主に利得可変増幅器４５ａ〜４５ｃ、復調回路２１０ａ〜２１０ｂ、局部発振回路２２０ｂを含む。
【００２７】
図１Ｂは、図１Ａのベースバンド信号処理装置の構成を示したブロック図である。ベースバンド信号処理装置１０は、高周波信号を処理するベースバンド信号処理部１１、ダイバーシティ制御部１２、メモリ１３等を有する。  
ダイバーシティ制御部１２は、信号の位相、強度補正及び合成の処理を行う機能を有している。なお、符号１４は、図２以下で述べる実施の形態に対応するスイッチ制御部である。
【００２８】
次に、図１(図１Ａ、図１Ｂ)を参照して、本発明の一実施の形態であるマルチバンド・マルチモード無線通信装置の動作を説明する。
【００２９】
ベースバンド信号処理装置１０から出力される送信ディジタルＩ/Ｑ信号のうち、Ｉ信号はＤ/Ａ変換器２０ａにおいて送信アナログＩ信号へ変換され、更に利得可変増幅器４０ａにおいて増幅され、ミキサ５０ａに入力される。ベースバンド信号処理装置１０から出力される送信ディジタルＩ/Ｑ信号のうちＱ信号も同様に、Ｄ/Ａ変換器２０ａ'において送信アナログＱ信号へ変換され、更に利得可変増幅器４０ａ'において増幅され、ミキサ５０ａ'に入力される。ミキサ５０ａおよび５０ａ'に接続された発振器６０ａは、送信周波数を発振する発振器であり、ミキサ５０ａとミキサ５０ａ'とではＩ/Ｑ信号の位相を９０度異なるようにするため、ミキサ５０ａ'と発振器６０ａとの間には移相器７０ａが挿入される。ミキサ５０ａにおいて送信周波数に周波数変換された送信アナログＩ信号とミキサ５０ａ'において送信周波数に周波数変換された送信アナログＱ信号は合成された後、送信信号として可変利得増幅器４０ｂに入力され、更にフィルタ８０ａを介して電力増幅器９０ａに入力され、電力増幅器９０ａにおいて送信電力値まで増幅され、ディプレクサ１００ａを介して第１のアンテナ１１０ａから送信される。なお、上記変調方式は一般的にダイレクトアップコンバージョンと呼ばれる。
【００３０】
一方、第１のアンテナ１１０ａにおいて受信された受信信号は、デュプレクサ１００ａを介して利得可変増幅器４５ａに入力され増幅される。利得可変増幅器から出力される受信信号はミキサ５５ａおよび５５ａ'に二分される。ミキサ５５ａおよび５５ａ'に接続された発振器６０ｂは受信周波数を発振する発振器であり、ミキサ５５ａとミキサ５５ａ'とではＩ/Ｑ信号の位相を９０度異なるようにするため、ミキサ５５ａ'と発振器６０ｂとの間には移相器７０ｂが挿入される。ミキサ５５ａに入力された受信信号は、ベースバンド周波数へ周波数変換され、受信アナログＩ信号として利得可変増幅器４５ｂにおいて増幅された後、Ａ/Ｄ変換器３０ａにおいて受信ディジタルＩ信号へ変換され、ベースバンド信号処理装置１０に入力される。一方、ミキサ５５ａ'に入力された受信信号はベースバンド周波数へ周波数変換され、受信アナログＱ信号として利得可変増幅器４５ｂ'において増幅された後、Ａ/Ｄ変換器３０ａ'において受信ディジタルＱ信号へ変換され、ベースバンド信号処理装置１０に入力される。なお、上記復調方式は一般的にダイレクトダウンコンバージョンと呼ばれる。
【００３１】
更に、第２のアンテナ１１０ｂにおいて受信された受信信号は、第１のアンテナ１１０ａにおいて受信された受信信号と同様の回路動作により、受信ディジタルＩ/Ｑ信号としてベースバンド処理装置１０に入力される。
【００３２】
Ａ/Ｄ変換器３０ａおよび３０ａ'を介して入力された第１の受信ディジタルＩ/Ｑ信号と、Ａ/Ｄ変換器３０ｂおよび３０ｂ'を介して入力された第２の受信ディジタルＩ/Ｑ信号とでは、第１および第２のアンテナ１１０ａ、１１０ｂの配置、感度により、位相、強度が若干異なるため、ベースバンド信号処理装置１０にて位相、強度を補正した後、合成される。従って、第１および第２の受信ディジタルＩ/Ｑ信号の位相、強度が等しい場合、理論的には受信感度は２倍になる。この動作は一般的にダイバーシティ受信と呼ばれる。
【００３３】
従って、図１に示した本発明の一実施の形態であるマルチバンド・マルチモード無線通信装置は、一対のＷ−ＣＤＭＡ用の一対の送受信回路に加えて、もう一つの受信回路を有し、ベースバンド信号処理装置１０において第１および第２の受信ディジタルＩ/Ｑ信号を合成する構造を有する。
【００３４】
図１に示した本発明の一実施の形態であるマルチバンド・マルチモード無線通信装置によれば、１つの局部発振回路２２０ｂが復調回路２１０ａおよび２１０ｂの両方の発振回路として用いられる。局部発振回路２２０ｂは、復調回路２１０ａおよび２１０ｂと同一の半導体素子３００ａとして、例えばＣＭＯＳプロセスあるいはＢｉＣＭＯＳプロセスにより実装される。
【００３５】
図１に示した本発明の一実施の形態であるマルチバンド・マルチモード無線通信装置の効果は、次の通りである。
【００３６】
本発明の一実施の形態によれば、Ｗ−ＣＤＭＡ用の第１、第２の受信回路の復調回路に対して局部周波数を供給する局部発振回路を共有し、更に少なくとも第１、第２の復調回路と局部発振回路とを同一の半導体素子に実装することにより、回路あるいは半導体素子面積の小型化が可能となる。
【００３７】
また、第１、第２の受信回路の復調回路と局部発振回路とを、同一の半導体素子にＣＭＯＳプロセス等で実装することにより、各回路間の製作上のばらつきが無くなり、各回路の動作特性を一致させることができる。その結果、第１、第２の復調回路に対する局部発振回路の動作上の不一致が無くなり、制御精度の高いマルチバンド・マルチモード無線通信装置を提供することができる。
【００３８】
また、高速大容量の通信方式に対応して小型化および低消費電力化が可能なマルチバンド・マルチモード無線通信装置を提供することができる。
【００３９】
（実施の形態２）
次に、図２(図２Ａ、図２Ｂ)を参照して、本発明の実施の形態２に係るマルチバンド・マルチモード無線通信装置について述べる。図２Ａは装置全体の構成を示す回路図であり、図２Ｂは、ベースバンド信号処理装置１０のスイッチ制御部の動作説明図である。
【００４０】
図２Ａに示すとおり、このマルチバンド・マルチモード無線通信装置は、第２のアンテナ１１０ｂと、第３のアンテナ１１０ｃと、ＦＤＤ方式に対応した第１の送信回路４００ａおよび第１の受信回路４５０ａと、ＦＤＤ方式に対応した第２の受信回路４５０ｂと、ＴＤＤ方式に対応した第２の送信回路４００ｂおよび第３の受信回路４５０ｃと、デュプレクサ１００ａと、ＳＰ３Ｔ（single-pole triple throw ）の第１のスイッチ１２０ａと、ベースバンド信号処理装置１０とを有する。そして、第３のアンテナ１１０ｃとＳＰ３Ｔの第１のスイッチ１２０ａを介して第１の送信回路４００ａ、第３の受信回路４５０ｃおよびデュプレクサ１００ａが各々接続され、デュプレクサ１００ａは、第１の送信回路４００ａおよび第１の受信回路４５０ａに接続され、第２のアンテナ１１０ｂは第２の受信回路４５０ｂに接続されている。
【００４１】
図1Ｂに示したスイッチ制御部１４が、無線通信装置例えば携帯端末の使用状態に対応したスイッチ切替制御信号（SW sig.）を生成して、第１のスイッチ１２０ａによるアンテナと送受信回路の接続状態を切り替える。
【００４２】
第２および第３のアンテナ１１０ｂ、１１０ｃにおいて受信されたＦＤＤ方式に対応する受信信号は、各々第１および第２の受信回路４５０ａ、４５０ｂを介してベースバンド信号処理装置１０に入力され、ダイバーシティ制御部１７にて位相、強度が補正された後、合成される。これにより、ダイバーシティ受信機能を有するＦＤＤ方式に対応した無線通信回路およびＴＤＤ方式に対応した無線通信回路を２つのアンテナで実現する。
【００４３】
より詳細に説明すると、図２Ａにおいて、２０ｂ〜２０ｂ'はＤ/Ａ変換器、３０ｃ〜３０ｃ'はＡ/Ｄ変換器、４０ｃは利得可変増幅器である。４５ｅは利得可変増幅器、８０ｃ〜８０ｄおよび８５ｃはフィルタ、９０ｂは電力増幅器、１１０ｃは第３のアンテナである。１２０ａは第１のスイッチ、２００ｂは変調回路、２１０ｃは復調回路、３００ｂは半導体素子である。
【００４４】
４００ａは第１の送信回路ブロックであり、主に変調回路２００ａ、利得可変増幅器４０ｂ、フィルタ８０ａおよび電力増幅器９０ａにより構成される。４００ｂは第２の送信回路ブロックであり、主に変調回路２００ｂ、利得可変増幅器４０ｃ、フィルタ８０ｃ、電力増幅器９０ａおよびフィルタ８０ｄにより構成される。４５０ａは第１の受信回路ブロックであり、主に利得可変増幅器４５ａおよび復調回路２１０ａにより構成される。４５０ｂは第２の受信回路ブロックであり、主に利得可変増幅器４５ｃおよび復調回路２１０ｂにより構成される。４５０ｃは第３の受信回路ブロックであり、主にフィルタ８５ｃ、利得可変増幅器４５ｅおよび復調回路２１０ｃから構成される。
【００４５】
次に、図２Ｂのスイッチ切替制御の状態を参照しながら、このマルチバンド・マルチモード無線通信装置の動作を説明する。
【００４６】
ベースバンド信号処理装置１０から出力されるＷ−ＣＤＭＡに対応した送信ディジタルＩ/Ｑ信号は、上記図１の実施態様の場合の動作と同様の過程を経て、送信信号として第３のアンテナ１１０ｃから送信される。但し、図２の例ではデュプレクサ１００ａと第３のアンテナ１１０ｃとの間にＳＰ３Ｔのスイッチ１２０ａが挿入される点が図１と異なる。
【００４７】
また、第３のアンテナ１１０ｃにおいて受信されたＷ−ＣＤＭＡに対応した受信信号は、上記図１の動作と同様の過程を経て第１の受信ディジタルＩ/Ｑ信号としてベースバンド信号処理装置１０に入力される。但し、図２ではデュプレクサ１００ａと第３のアンテナ１１０ｃとの間にＳＰ３Ｔの第１のスイッチ１２０ａが挿入される点が図１と異なる。  
Ｗ−ＣＤＭＡで動作する場合、ＳＰ３Ｔの第１のスイッチ１２０ａはデュプレクサ１００ａに接続された端子に接続される。
【００４８】
更に、第２のアンテナ１１０ｂにおいて受信されたＷ−ＣＤＭＡに対応した受信信号は、上記図１の動作と同様の過程を経て、第２の受信ディジタルＩ/Ｑ信号としてベースバンド信号処理装置１０に入力される。  
ベースバンド信号処理装置１０において、第１および第２の受信ディジタルＩ/Ｑ信号は、位相、強度補正を行った後、合成される。
【００４９】
一方、ベースバンド信号処理装置１０から出力されるＧＳＭに対応した送信ディジタルＩ/Ｑ信号は、各々Ｄ/Ａ変換器２０ｂおよび２０ｂ'において、送信アナログＩ/Ｑ信号に変換され変調回路２００ｂに入力される。そして、変調回路２００ｂにおいて送信周波数へ周波数変換され、送信信号として利得可変増幅器４０ｃおよびフィルタ８０ｃを介して電力増幅器９０ｂに入力され、電力増幅器９０ｂにおいて送信電力値まで増幅され、フィルタ８０ｂおよび第１のスイッチ１２０ａを介して第３のアンテナ１１０ｃから送信される。
【００５０】
また、第３のアンテナ１１０ｃにおいて受信されたＧＳＭに対応した受信信号は、フィルタ８５ｃを介して利得可変増幅器４５ｅに入力され増幅された後、復調回路２１０ｃにおいてベースバンド周波数へ周波数変換され、互いに直交な（位相が９０度異なる）受信アナログＩ/Ｑ信号としてＡ/Ｄ変換器３０ｃおよび３０ｃ'を介してベースバンド信号処理装置１０に入力される。
【００５１】
ＧＳＭで動作する場合、送信状態において第１のスイッチ１２０ａはフィルタ８０ｄに接続された端子に接続され、受信状態において第１のスイッチ１２０ａはフィルタ８５ｃに接続された端子に接続される。
【００５２】
第１の局部発振回路（ＬＯ）２２０ｃは、ＧＳＭおよびＷ−ＣＤＭＡの送信周波数を発振する周波数可変局部発振回路として動作する。第２の局部発振回路（ＬＯ）２２０ｄは、同様に、ＧＳＭおよびＷ−ＣＤＭＡの受信周波数を発振する周波数可変局部発振回路として動作する。この局部発振回路２２０ｄは復調回路２１０ａ〜２１０ｃの両方の発振回路として用いられるため、例えばＣＭＯＳプロセスあるいはＢｉＣＭＯＳプロセスにより、同一の半導体素子３００ｂに実装される。
【００５３】
従って、図２Ｂに示すとおり、本実施形態のマルチバンド・マルチモード無線通信装置は、Ｗ−ＣＤＭＡ用の第１の送信回路ブロック４００ａ、Ｗ−ＣＤＭＡ用の第１の受信回路ブロック４５０ａ、Ｗ−ＣＤＭＡ用の第２の受信回路ブロック４５０ｂ、ＧＳＭ用の第２の送信回路ブロック４００ｂおよびＧＳＭ用の第３の受信回路ブロック４５０ｃのいずれかを動作させ得る機能を有する。
【００５４】
すなわち、実施の形態２では、Ｗ−ＣＤＭＡダイバーシティ受信機能を有し、ＦＤＤ方式に対応した無線通信回路およびＴＤＤ方式に対応した無線通信回路を、２つのアンテナと１個のスイッチで実現する。
【００５５】
図２に示した本発明の一実施の形態であるマルチバンド・マルチモード無線通信装置の効果は、次の通りである。  
Ｗ−ＣＤＭＡ用の第１の送信回路ブロック４００ａ、第１および第２の受信回路ブロック４５０ａ、４５０ｂ、ＧＳＭ用の第２の送信回路ブロック４００ｂおよび第３の受信回路ブロック４５０ｃを有し、Ｗ−ＣＤＭＡにおいてダイバーシティ受信に対応した携帯電話端末を２つの第２および第３のアンテナ１１０ｂ、１１０ｃを用いて実現することにより、従来３つのアンテナが必要であった携帯電話端末に比べて小型化が可能となる。
【００５６】
また更に、Ｗ−ＣＤＭＡ用の第１および第２の受信回路ブロック４５０ａ、４５０ｂおよびＧＳＭ用の第３の受信回路ブロック４５０ｃの復調回路に局部周波数を供給する第２の局部発振回路２２０ｄを共有し、更に少なくとも復調回路２１０ａ〜２１０ｃおよび第２の局部発振回路２２０ｄを同一の半導体素子３００ｂに実装することにより、回路あるいは半導体素子面積の小型化が可能となる。
【００５７】
また、高速大容量の通信方式に対応して小型化および点消費電力化が可能なマルチバンド・マルチモード無線通信装置を提供することができる。
【００５８】
（実施の形態３）
図３(図３Ａ、図３Ｂ)で実施の形態３を説明する。図３Ａは、実施の形態３になる携帯電話端末の無線部を示した回路図である。なお、図３以下において、図１や図２と同じ符号の部分は、図１や図２と同じ構成なので、以下では詳細な説明を省略する。
【００５９】
先ず、図３Ａを参照して、本発明の一実施の形態であるマルチバンド・マルチモード無線通信装置の構成を説明する。  
図３Ａにおいて、１１０ｄ、１１０ｅは第４および第５のアンテナであり、１２０ｂ、１２０ｃは第２および第３のスイッチである。第４のアンテナ１１０ｄはスイッチ１２０ｂを介してフィルタ８０ｄおよびデュプレクサ１００ａに接続され、第５のアンテナ１１０ｅはスイッチ１２０ｃを介してフィルタ８５ｂおよび８５ｃに接続される点が上記実施の形態１や２と異なる。
【００６０】
次に、図３Ａ、図３Ｂを参照して、本発明の一実施の形態であるマルチバンド・マルチモード無線通信装置の動作を説明する。
【００６１】
Ｗ−ＣＤＭＡで動作する場合、第２のスイッチ１２０ｂはデュプレクサ１００ａに接続された第１の送信回路４００ａ、第１の受信回路ブロック４５０ａに接続され、第３のスイッチ１２０ｃは第２の受信回路ブロック４５０ｂに接続された端子に接続され、ＧＳＭで動作する場合、送信状態において第２のスイッチ１２０ｂはフィルタ８０ｄに接続された第２の送信回路ブロック４００ｂに接続され、受信状態において第３のスイッチ１２０ｃはフィルタ８５ｃに接続された第３の受信回路ブロック４５０ｃに接続される点が、上記実施の形態２と異なる。
【００６２】
従って、本実施の形態マルチバンド・マルチモード無線通信装置は、図３Ｂに示すように、第２のスイッチ１２０ｂ、第３のスイッチ１２０ｃを制御することにより、Ｗ−ＣＤＭＡ用の第１の送信回路ブロック４００ａ、Ｗ−ＣＤＭＡ用の第１の受信回路ブロック４５０ａ、Ｗ−ＣＤＭＡ用の第２の受信回路ブロック４５０ｂ、ＧＳＭ用の第２の送信回路ブロック４００ｂおよびＧＳＭ用の第３の受信回路ブロック４５０ｃの各々を選択的に動作させ得る機能を有する。
【００６３】
すなわち、Ｗ−ＣＤＭＡダイバーシティ受信機能を有する、ＦＤＤ方式に対応した無線通信回路およびＴＤＤ方式に対応した無線通信回路を、２つのアンテナと２つのスイッチで実現する。
【００６４】
また、図３に示したマルチバンド・マルチモード無線通信装置は、上記実施の形態１や２と同様に、少なくとも利得可変増幅器、復調回路、局部発振回路を一つの半導体素子に実装することにより、回路あるいは半導体素子面積の小型化が可能となる、という効果がある。
【００６５】
（実施の形態４）
図４(図４Ａ、図４Ｂ、図４Ｃ)を参照して、本発明の一実施の形態であるマルチバンド・マルチモード無線通信装置の構成を説明する。
【００６６】
図４Ａは、携帯電話端末の無線部を示した回路図である。１１０ｆは第６のアンテナであり、１２０ｄは第４のスイッチである。第１のアンテナ１１０ａはデュプレクサ１００ａに接続され、第６のアンテナ１１０ｆは第４のスイッチ１２０ｄを介して各送信回路ブロックあるいは受信回路ブロックに接続される点が上記実施の形態２乃至３と異なる。第４のスイッチ１２０ｄの切り替えは、ベースバンド信号処理装置１０のスイッチ制御部により、実施の形態２、３と同様にして制御される。（後で述べる各実施の形態でも同様なスイッチ制御がなされる。）
次に、図４Ｂを参照して、本発明の一実施の形態であるマルチバンド・マルチモード無線通信装置の動作を説明する。
【００６７】
Ｗ−ＣＤＭＡで動作する場合、図４Ｂに示すように、スイッチ制御部により、第４のスイッチ１２０ｄは、ＧＳＭで動作する場合は送信状態においてＧＳＭ用の第２の送信回路ブロック４００ｂに接続された端子（Ｔｘ）に接続され、受信状態においてＧＳＭ用の第３の受信回路ブロック４５０ｃに接続された端子（Ｒｘ）に接続される。また、Ｗ−ＣＤＭＡで動作する場合、Ｗ−ＣＤＭＡ用の第２の受信回路ブロック４５０ｂに接続された端子に接続される。
【００６８】
従って、本実施の形態マルチバンド・マルチモード無線通信装置は、図４Ｃに示すように、Ｗ−ＣＤＭＡ用の第１の送信回路ブロック４００ａ、Ｗ−ＣＤＭＡ用の第１の受信回路ブロック４５０ａ、Ｗ−ＣＤＭＡ用の第２の受信回路ブロック４５０ｂ、ＧＳＭ用の第２の送信回路ブロック４００ｂおよびＧＳＭ用の第３の受信回路ブロック４５０ｃの各々を選択的に動作させ得る機能を有する。すなわち、Ｗ−ＣＤＭＡダイバーシティ受信機能を有する、ＦＤＤ方式に対応した無線通信回路およびＴＤＤ方式に対応した無線通信回路を、２つのアンテナと１個のスイッチで実現する。
【００６９】
図４に示した本発明の一実施の形態であるマルチバンド・マルチモード無線通信装置の効果は次の通りである。  
まず、Ｗ−ＣＤＭＡに対応した送信信号を送信電力値まで増幅する電力増幅器９０ａと第１のアンテナ１１０ａとの間にデュプレクサ１００ａのみを有するため、上記実施の形態３のように第１および第２のスイッチ１２０ａ、１２０ｂを有する構成に比べて、スイッチ1個分だけ回路損失が小さい。この回路損失はスイッチの構造、材質などによって異なるが、一般的に０．３ｄＢ程度である。
【００７０】
従って、図４に示した本発明の一実施の形態であるマルチバンド・マルチモード無線通信装置では、アンテナからの送信電力値が同等である場合、電力増幅器９０ａの出力すべき送信電力値を０．３ｄＢ小さくすることができるため、電力増幅器９０ａの低消費電力化が可能となる。
【００７１】
また、上記実施の形態２乃至３において、第１および第２のスイッチ１２０ａ、１２０ｂはＷ−ＣＤＭＡに対応する送信信号を通過させるため、送信電力値に対応する破壊耐性およびＷ−ＣＤＭＡに要求される線形性を満足させる必要があり、第１および第２のスイッチ１２０ａ、１２０ｂの回路面積が大きくなる。これに対して、図４に示した本発明の一実施の形態であるマルチバンド・マルチモード無線通信装置では、第４のスイッチ１２０ｄはＷ−ＣＤＭＡ、ＧＳＭとも電力値の非常に小さい受信信号を通過させるため、第３のスイッチ１２０ｃの回路面積を小さくできる。従って、図４に示した本発明の一実施の形態であるマルチバンド・マルチモード無線通信装置では、上記実施の形態２乃至３に比べて回路面積の小型化が可能となる。
【００７２】
（実施の形態５）
上記実施の形態１乃至４では、一例としてシングルバンドＧＳＭおよびシングルバンドＷ−ＣＤＭＡに対応する携帯電話端末に関して説明した。  
他の一例として、図５(図５Ａ、図５Ｂ)で実施の形態５を説明する。図５Ａに示すマルチバンド・マルチモード無線通信装置は、シングルバンドＧＳＭおよびデュアルバンドＷ−ＣＤＭＡに対応する携帯電話端末の例である。
【００７３】
周波数帯域は上記実施の形態１乃至４と同様に、第１の送信周波数：１９２０〜１９８０ＭＨｚ、第１の受信周波数：２１１０〜２１７０ＭＨｚ、第２の送信周波数：１８５０〜１９１０ＭＨｚ、第２の受信周波数：１９３０〜１９９０ＭＨｚとする。更に、ＧＳＭは第２の送信および受信周波数を使用し、Ｗ−ＣＤＭＡは第１の送信および受信周波数と第２の送信および受信周波数の両方の周波数帯域を使用する場合を例に挙げて説明する。
【００７４】
図５Ａは、本発明の一実施の形態であるマルチバンド・マルチモード無線通信装置を具備した携帯電話端末の無線部を示した回路図である。この図を参照して、本発明の一実施の形態であるマルチバンド・マルチモード無線通信装置の構成を説明する。
【００７５】
２０ｃおよび２０ｃ’はＤ/Ａ変換器であり、３０ｄおよび３０ｄ’はＡ/Ｄ変換器であり、４０ｄは利得可変増幅器であり、４５ｇおよび４５ｆは利得可変増幅器であり、８０ｅはフィルタであり、９０ｃは電力増幅器であり、１００ｂはデュプレクサであり、１１０ｇは第７のアンテナである。１２０ｅ、１２０ｆは第５および第６のスイッチであり、２００ｃは変調回路であり、２１０ｄおよび２１０ｅは復調回路であり、２２０ｅおよび２２０ｆは局部発振回路である。
【００７６】
４００ｃは主に変調回路２００ｃ、利得可変増幅器４０ｄ、フィルタ８０ｅおよび電力増幅器９０ｃから構成される送信回路ブロックであり、４５０ｄは主にフィルタ８５ｃ、利得可変増幅器４５ｆおよび復調回路２１０ｄから構成される受信回路ブロックであり、４５０ｅは主に利得可変増幅器４５ｇおよび復調回路２１０ｅから構成される受信回路ブロックである。
【００７７】
次に、本発明の一実施の形態であるマルチバンド・マルチモード無線通信装置の動作を説明する。
【００７８】
ベースバンド信号処理装置１０から出力される第１の送信周波数を使用するＷ−ＣＤＭＡに対応した送信ディジタルＩ/Ｑ信号は各々Ｄ/Ａ変換器２０ａおよび２０ａ’において送信アナログＩ/Ｑ信号に変換され、変調回路２００ａにおいて第１の送信周波数へ周波数変換され、第１の送信信号として利得可変増幅器４０ｂおよびフィルタ８０ａを介して電力増幅器９０ａに入力され、電力増幅器９０ａにおいて送信電力値まで増幅された後、デュプレクサ１００ａおよび第６のスイッチ１２０ｆを介して第７のアンテナ１１０ｇから送信される。一方、第７のアンテナ１１０ｇにおいて受信された第１の受信周波数を使用するＷ−ＣＤＭＡに対応した受信信号は、第６のスイッチ１２０ｆおよびデュプレクサ１００ａを介して利得可変増幅器４５ａに入力され、利得可変増幅器４５ａにおいて増幅され、復調回路２１０ａにおいて受信アナログＩ/Ｑ信号へ復調された後、Ａ/Ｄ変換器３０ａおよび３０ａ’においてディジタル信号へ変換され、第１の受信ディジタルＩ/Ｑ信号としてベースバンド信号処理装置１０に入力される。
【００７９】
以上の動作により、第１の送信および受信周波数を使用するＷ−ＣＤＭＡ用の一対の送受信回路ブロック４００ａおよび４５０ａが実現される。
【００８０】
また、ベースバンド信号処理装置１０から出力される第２の送信周波数を使用するＷ−ＣＤＭＡに対応した送信ディジタルＩ/Ｑ信号は各々Ｄ/Ａ変換器２０ｃおよび２０ｃ’において送信アナログＩ/Ｑ信号に変換され、変調回路２００ｃにおいて第２の送信周波数へ周波数変換され、第２の送信信号として利得可変増幅器４０ｄおよびフィルタ８０ｅを介して電力増幅器９０ｃに入力され、電力増幅器９０ｃにおいて送信電力値まで増幅された後、デュプレクサ１００ｂおよび第６のスイッチ１２０ｆを介して第７のアンテナ１１０ｇから送信される。一方、第７のアンテナ１１０ｇにおいて受信された第２の受信周波数を使用するＷ−ＣＤＭＡに対応した受信信号は、第６のスイッチ１２０ｆおよびデュプレクサ１００ｂを介して利得可変増幅器４５ｇに入力され、利得可変増幅器４５ｇにおいて増幅され、復調回路２１０ｅにおいて受信アナログＩ/Ｑ信号へ復調された後、Ａ/Ｄ変換器３０ｄおよび３０ｄ’においてディジタル信号へ変換され、第２の受信ディジタルＩ/Ｑ信号としてベースバンド信号処理装置１０に入力される。
【００８１】
以上の動作により、第２の送信および受信周波数を使用するＷ−ＣＤＭＡ用の一対の送受信回路ブロック４００ｃおよび４５０ｅが実現される。
【００８２】
また更に、ベースバンド信号処理装置１０から出力される第２の送信周波数を使用するＧＳＭに対応した送信ディジタルＩ/Ｑ信号は各々Ｄ/Ａ変換器２０ｂおよび２０ｂ’において送信アナログＩ/Ｑ信号に変換され、変調回路２００ｂにおいて第２の送信周波数へ周波数変換され、第３の送信信号として利得可変増幅器４０ｃおよびフィルタ８０ｃを介して電力増幅器９０ｂに入力され、電力増幅器９０ｂにおいて送信電力値まで増幅された後、フィルタ８０ｄおよび第５のスイッチ１２０ｅを介して第６のアンテナ１１０ｆから送信される。一方、第６のアンテナ１１０ｆにおいて受信された第２の受信周波数を使用するＧＳＭに対応した受信信号は、第５のスイッチ１２０ｅおよびフィルタ８５ｃを介して利得可変増幅器４５ｆに入力され、利得可変増幅器４５ｆにおいて増幅され、復調回路２１０ｄにおいて受信アナログＩ/Ｑ信号へ復調された後、Ａ/Ｄ変換器３０ｃおよび３０ｃ’においてディジタル信号へ変換され、第３の受信ディジタルＩ/Ｑ信号としてベースバンド信号処理装置１０に入力される。
【００８３】
以上の動作により、第２の送信および受信周波数を使用するＧＳＭ用の一対の送受信回路が実現される。
【００８４】
また更に、第６のアンテナ１１０ｆにおいて受信された第１の受信周波数を使用するＷ−ＣＤＭＡに対応した受信信号は第５のスイッチ１２０ｅおよびフィルタ８５ｂを介して利得可変増幅器４５ｃに入力され、利得可変増幅器４５ｃにおいて増幅され、復調回路２１０ｂにおいて受信アナログＩ/Ｑ信号へ復調された後、Ａ/Ｄ変換器３０ｂおよび３０ｂ’においてディジタル信号へ変換され、第４の受信ディジタルＩ/Ｑ信号としてベースバンド信号処理装置１０に入力される。
【００８５】
また、第６のアンテナ１１０ｆにおいて受信された第２の受信周波数を使用するＷ−ＣＤＭＡに対応した受信信号は第５のスイッチ１２０ｅおよびフィルタ８５ｃを介して利得可変増幅器４５ｆに入力され、利得可変増幅器４５ｆにおいて増幅され、復調回路２１０ｄにおいて受信アナログＩ/Ｑ信号へ復調された後、Ａ/Ｄ変換器３０ｃおよび３０ｃ’においてディジタル信号へ変換され、第５の受信ディジタルＩ/Ｑ信号としてベースバンド信号処理装置１０に入力される。
【００８６】
従って、主にフィルタ８５ｃ、利得可変増幅器４５ｆおよび変調回路２１０ｄから構成される受信回路ブロック４５０ｄは、第２の受信周波数を使用するＷ−ＣＤＭＡおよび第２の受信周波数を使用するＧＳＭの両方式に対応する。
【００８７】
第１の送信および受信周波数を使用するＷ−ＣＤＭＡの場合、ベースバンド信号処理装置１０は第１の受信ディジタルＩ/Ｑ信号と第４の受信ディジタルＩ/Ｑ信号とを位相、強度補正を行った後、合成する。また、第２の送信および受信周波数を使用するＷ−ＣＤＭＡの場合、ベースバンド信号処理装置１０は第２の受信ディジタルＩ/Ｑ信号と第５の受信ディジタルＩ/Ｑ信号とを位相、強度補正を行った後、合成する。
【００８８】
第１の送信および受信周波数を使用するＷ−ＣＤＭＡの場合、第６のスイッチ１２０ｆはデュプレクサ１００ａに接続された端子に接続され、第６のスイッチ１２０ｅはフィルタ８５ｂに接続された端子に接続される。また、第２の送信および受信周波数を使用するＷ−ＣＤＭＡの場合、第６のスイッチ１２０ｆはデュプレクサ１００ｂに接続された端子に接続され、第５のスイッチ１２０ｅはフィルタ８５ｃに接続された端子に接続される。更にまた、第２の送信および受信周波数を使用するＧＳＭの場合、送信状態において第５のスイッチ１２０ｅはフィルタ８０ｄに接続された端子に接続され、受信状態において第５のスイッチ１２０ｅはフィルタ８５ｃに接続された端子に接続される。
【００８９】
局部発振回路２２０ｅは第１および第２の送信周波数を発振する周波数可変発振回路であり、局部発振回路２２０ｆは第１および第２の受信周波数を発振する周波数可変発振回路である。
【００９０】
以上の構成および動作より、本発明の一実施の形態であるマルチバンド・マルチモード無線通信装置は、図５Ｂに示したように、第１の送信および受信周波数を使用するＷ−ＣＤＭＡ用の一対の送受信回路ブロック４００ａおよび４５０ａに加えて、受信回路ブロック４５０ｂから構成されるダイバーシティ受信機能を有する無線通信装置と、第２の送信および受信周波数を使用するＷ−ＣＤＭＡ用の一対の送受信回路ブロック４００ｃおよび４５０ｅに加えて、受信回路ブロック４５０ｄから構成されるダイバーシティ受信機能を有する無線通信装置と、第２の送信および受信周波数を使用するＧＳＭ用の一対の送受信回路ブロック４００ｂおよび４５０ｄとを有する。
【００９１】
従って、本実施の形態マルチバンド・マルチモード無線通信装置は、Ｗ−ＣＤＭＡ用の送信回路ブロック、Ｗ−ＣＤＭＡ用の第１の受信回路ブロック、Ｗ−ＣＤＭＡ用の第２の受信回路ブロック、ＧＳＭ用の送信回路ブロックおよびＧＳＭ用の受信回路ブロックの各々を動作させ得る機能を有する。すなわち、Ｗ−ＣＤＭＡダイバーシティ受信機能を有する、ＦＤＤ方式に対応した無線通信回路およびＴＤＤ方式に対応した無線通信回路を、２つのアンテナと２つのスイッチで実現する。
【００９２】
図５に示したマルチバンド・マルチモード無線通信装置の主な効果は次の通りである。  
シングルバンドＧＳＭおよびデュアルバンドＷ−ＣＤＭＡに対応し、かつＷ−ＣＤＭＡにおいてダイバーシティ受信に対応した携帯電話端末を２つの第５および第６のアンテナ１１０ｆ、１１０ｇを用いて実現することにより、従来３つのアンテナが必要であった携帯電話端末に比べて小型化が可能となる。
【００９３】
第２の受信周波数において、ＧＳＭおよびＷ−ＣＤＭＡとで受信回路ブロック４５０ｄを共用することにより、第２の周波数を使用するＷ−ＣＤＭＡ用のダイバーシティ受信機が回路面積を増加させずに実現可能となる。
【００９４】
なお、図５には示していないが、上記実施の形態１乃至４と同様に、少なくとも利得可変増幅器４５ａ、４５ｃ、４５ｆおよび４５ｇ、復調回路２１０ａ、２１０ｂ、２１０ｄおよび２１０ｅ、局部発振回路２２０ｅおよび２２０ｆを一つの半導体素子に実装することにより、回路あるいは半導体素子面積の小型化が可能となる。
【００９５】
（実施の形態６）
図６は本発明の一実施の形態であるマルチバンド・マルチモード無線通信装置を具備した携帯電話端末の無線部を示した回路図である。先ず、図６を参照して、この実施形態のマルチバンド・マルチモード無線通信装置の構成を説明する。
【００９６】
図６において、１２０ｇ、１２０ｈは第７および第８のスイッチである。４５０ｆは主にフィルタ８５ｃ、利得可変増幅器４５ｆ、第７および第８のスイッチ１２０ｇ、１２０ｈおよび復調回路２１０ｃから構成される受信回路ブロックであり、４５０ｇは主にフィルタ８５ｃ、利得可変増幅器４５ｆ、第７および第８のスイッチ１２０ｇ、１２０ｈおよび復調回路２１０ｂから構成される受信回路ブロックである。
【００９７】
利得可変増幅器４５ｃは第７および第８のスイッチ１２０ｇ、１２０ｈを介して復調回路２１０ｂあるいは２１０ｃに接続され、利得可変増幅器４５ｆも同様に第７および第８のスイッチ１２０ｇ、１２０ｈを介して復調回路２１０ｂあるいは２１０ｃに接続される点が上記実施の形態５と異なる。
【００９８】
次に、この実施の形態になるマルチバンド・マルチモード無線通信装置の動作を説明する。
【００９９】
第６のアンテナ１１０ｆにおいて受信された第２の受信周波数を使用するＧＳＭに対応した受信信号は第５のスイッチ１２０ｅおよびフィルタ８５ｃを介して利得可変増幅器４５ｆに入力され、利得可変増幅器４５ｆにおいて増幅され、ス第７および第８のイッチ１２０ｇ、１２０ｈを介して復調回路２１０ｃに入力され、復調回路２１０ｃにおいて受信アナログＩ/Ｑ信号へ復調された後、Ａ/Ｄ変換器３０ｃおよび３０ｃ’においてディジタル信号へ変換され、第３の受信ディジタルＩ/Ｑ信号としてベースバンド信号処理装置１０に入力される。
【０１００】
一方、第６のアンテナ１１０ｆにおいて受信された第１の受信周波数を使用するＷ−ＣＤＭＡに対応した受信信号は第５のスイッチ１２０ｅおよびフィルタ８５ｂを介して利得可変増幅器４５ｃに入力され、利得可変増幅器４５ｃにおいて増幅され、第７および第８のスイッチ１２０ｇ、１２０ｈを介して復調回路２１０ｂに入力され、復調回路２１０ｂにおいて受信アナログＩ/Ｑ信号へ復調された後、Ａ/Ｄ変換器３０ｂおよび３０ｂ’においてディジタル信号へ変換され、第４の受信ディジタルＩ/Ｑ信号としてベースバンド信号処理装置１０に入力される。
【０１０１】
また、第６のアンテナ１１０ｆにおいて受信された第２の受信周波数を使用するＷ−ＣＤＭＡに対応した受信信号は第５のスイッチ１２０ｅおよびフィルタ８５ｃを介して利得可変増幅器４５ｆに入力され、利得可変増幅器４５ｆにおいて増幅され、第７および第８のスイッチ１２０ｇ、１２０ｈを介して復調回路２１０ｂに入力され、復調回路２１０ｂにおいて受信アナログＩ/Ｑ信号へ復調された後、Ａ/Ｄ変換器３０ｂおよび３０ｂ’においてディジタル信号へ変換され、第５の受信ディジタルＩ/Ｑ信号としてベースバンド信号処理装置１０に入力される。
【０１０２】
第２の受信周波数を使用したＧＳＭの場合、第７のスイッチ１２０ｇは利得可変増幅器４５ｆに接続された端子に接続され、第８のスイッチ１２０ｈは復調回路２１０ｃに接続された端子に接続される。また、第１の受信周波数を使用したＷ−ＣＤＭＡの場合、第７のスイッチ１２０ｇは利得可変増幅器４５ｃに接続された端子に接続され、第８のスイッチ１２０ｈは復調回路２１０ｂに接続された端子に接続される。また更に、第２の受信周波数を使用したＷ−ＣＤＭＡの場合、第７のスイッチ１２０ｇは利得可変増幅器４５ｆに接続された端子に接続され、第８のスイッチ１２０ｈは復調回路２１０ｂに接続された端子に接続される。
【０１０３】
以上の構成および動作の説明のように、第２の受信周波数において、フィルタ８５ｃおよび利得可変増幅器４５ｆをＧＳＭとＷ−ＣＤＭＡとで共有し、復調回路はＧＳＭの場合、復調回路２１０ｃを用い、Ｗ−ＣＤＭＡの場合復調回路２１０ｂを用いる点が上記実施の形態５と異なる。
【０１０４】
図６に示した本発明の一実施の形態であるマルチバンド・マルチモード無線通信装置の主な効果は次の通りである。
【０１０５】
復調回路２１０ｂはＷ−ＣＤＭＡに対応した受信信号のみを復調し、復調回路２１０ｃはＧＳＭに対応した受信信号のみを復調するため、上記実施の形態５におけるＧＳＭおよびＷ−ＣＤＭＡに対応した受信信号を復調する復調回路２１０ｄに比べて復調回路の設計の容易化、性能向上が可能となる。
【０１０６】
（実施の形態７）
図７は、本発明の一実施の形態であるマルチバンド・マルチモード無線通信装置を具備した携帯電話端末の無線部を示した回路図である。先ず、図７を参照して、本発明の一実施の形態であるマルチバンド・マルチモード無線通信装置の構成を説明する。
【０１０７】
図７において、２０ｄおよび２０ｄ’はＤ/Ａ変換器であり、３０ｅおよび３０ｅ’はＡ/Ｄ変換器である。
【０１０８】
次に、図７を参照して、本発明の一実施の形態であるマルチバンド・マルチモード無線通信装置の動作を説明する。
【０１０９】
ベースバンド信号処理装置１０から出力される第１の送信周波数を使用するＷ−ＣＤＭＡに対応した送信ディジタルＩ/Ｑ信号は各々Ｄ/Ａ変換器２０ｄおよび２０ｄ’において送信アナログＩ/Ｑ信号に変換され、変調回路２００ａにおいて第１の送信周波数へ周波数変換され、第１の送信信号として利得可変増幅器４０ｂおよびフィルタ８０ａを介して電力増幅器９０ａに入力され、電力増幅器９０ａにおいて送信電力値まで増幅された後、デュプレクサ１００ａおよび第６のスイッチ１２０ｆを介して第７のアンテナ１１０ｇから送信される。一方、第７のアンテナ１１０ｇにおいて受信された第１の受信周波数を使用するＷ−ＣＤＭＡに対応した受信信号は、第６のスイッチ１２０ｆおよびデュプレクサ１００ａを介して利得可変増幅器４５ａに入力され、利得可変増幅器４５ａにおいて増幅され、復調回路２１０ａにおいて受信アナログＩ/Ｑ信号へ復調された後、Ａ/Ｄ変換器３０ｅおよび３０ｅ’においてディジタル信号へ変換され、第１の受信ディジタルＩ/Ｑ信号としてベースバンド信号処理装置１０に入力される。
【０１１０】
また、ベースバンド信号処理装置１０から出力される第２の送信周波数を使用するＷ−ＣＤＭＡに対応した送信ディジタルＩ/Ｑ信号は各々Ｄ/Ａ変換器２０ｄおよび２０ｄ’において送信アナログＩ/Ｑ信号に変換され、変調回路２００ｃにおいて第２の送信周波数へ周波数変換され、第２の送信信号として利得可変増幅器４０ｄおよびフィルタ８０ｅを介して電力増幅器９０ｃに入力され、電力増幅器９０ｃにおいて送信電力値まで増幅された後、デュプレクサ１００ｂおよび第６のスイッチ１２０ｆを介して第７のアンテナ１１０ｇから送信される。一方、第７のアンテナ１１０ｇにおいて受信された第２の受信周波数を使用するＷ−ＣＤＭＡに対応した受信信号は、第６のスイッチ１２０ｆおよびデュプレクサ１００ｂを介して利得可変増幅器４５ｇに入力され、利得可変増幅器４５ｇにおいて増幅され、復調回路２１０ｅにおいて受信アナログＩ/Ｑ信号へ復調された後、Ａ/Ｄ変換器３０ｅおよび３０ｅ’においてディジタル信号へ変換され、第２の受信ディジタルＩ/Ｑ信号としてベースバンド信号処理装置１０に入力される。
【０１１１】
以上の動作の説明のように、第１の送信および受信周波数を使用するＷ−ＣＤＭＡと第２の送信および受信周波数を使用するＷ−ＣＤＭＡとで、Ｄ/Ａ変換器およびＡ/Ｄ変換器を共有する点が上記実施の形態５および６と異なる。
【０１１２】
図７に示した本発明の一実施の形態であるマルチバンド・マルチモード無線通信装置の主な効果は次の通りである。
【０１１３】
第１の送信および受信周波数を使用するＷ−ＣＤＭＡと第２の送信および受信周波数を使用するＷ−ＣＤＭＡとで、Ｄ/Ａ変換器およびＡ/Ｄ変換器を共有することにより、図７に示した本発明の一実施の形態であるマルチバンド・マルチモード無線通信装置は、上記実施の形態５および６に比べて回路面積の小型化が可能となる。
【０１１４】
（実施の形態８）
図８は本発明の一実施の形態であるマルチバンド・マルチモード無線通信装置を具備した携帯電話端末の無線部を示した回路図である。先ず、図８を参照して、本発明の一実施の形態であるマルチバンド・マルチモード無線通信装置の構成を説明する。
【０１１５】
図８において、３０ｆおよび３０ｆ’はＡ/Ｄ変換器であり、２１０ｆおよび２１０ｇは復調回路である。  
４５０ｈは主に利得可変増幅器４５ａおよび復調回路２１０ｆから構成される受信回路ブロックであり、４５０ｉは主にフィルタ８５ｂ、利得可変増幅器４５ｃおよび復調回路２１０ｇから構成される受信回路ブロックであり、４５０ｊは主にフィルタ８５ｃ、利得可変増幅器４５ｆおよび復調回路２１０ｇから構成される受信回路ブロックであり、 ４５０ｋは主に利得可変増幅器４５ｇおよび復調回路２１０ｆから構成される受信回路ブロックである。
【０１１６】
利得可変増幅器４５ａおよび４５ｇがいずれも復調回路２１０ｆに接続され、利得可変増幅器４５ｃおよび４５ｆがいずれも復調回路２１０ｇに接続される点が上記実施の形態７と異なる。
【０１１７】
次に、図８を参照して、本発明の一実施の形態であるマルチバンド・マルチモード無線通信装置の動作を説明する。
【０１１８】
第７のアンテナ１１０ｇにおいて受信された第１の受信周波数を使用するＷ−ＣＤＭＡに対応した受信信号は、第６のスイッチ１２０ｆおよびデュプレクサ１００ａを介して利得可変増幅器４５ａに入力され、利得可変増幅器４５ａにおいて増幅され、復調回路２１０ｆにおいて受信アナログＩ/Ｑ信号へ復調された後、Ａ/Ｄ変換器３０ｅおよび３０ｅ’においてディジタル信号へ変換され、第１の受信ディジタルＩ/Ｑ信号としてベースバンド信号処理装置１０に入力される。
【０１１９】
また、第７のアンテナ１１０ｇにおいて受信された第２の受信周波数を使用するＷ−ＣＤＭＡに対応した受信信号は、第６のスイッチ１２０ｆおよびデュプレクサ１００ｂを介して利得可変増幅器４５ｇに入力され、利得可変増幅器４５ｇにおいて増幅され、復調回路２１０ｆにおいて受信アナログＩ/Ｑ信号へ復調された後、Ａ/Ｄ変換器３０ｅおよび３０ｅ’においてディジタル信号へ変換され、第２の受信ディジタルＩ/Ｑ信号としてベースバンド信号処理装置１０に入力される。
【０１２０】
一方、第６のアンテナ１１０ｆにおいて受信された第２の受信周波数を使用するＧＳＭに対応した受信信号は、第５のスイッチ１２０ｅおよびフィルタ８５ｃを介して利得可変増幅器４５ｆに入力され、利得可変増幅器４５ｆにおいて増幅され、復調回路２１０ｇにおいて受信アナログＩ/Ｑ信号へ復調された後、Ａ/Ｄ変換器３０ｆおよび３０ｆ’においてディジタル信号へ変換され、第３の受信ディジタルＩ/Ｑ信号としてベースバンド信号処理装置１０に入力される。
【０１２１】
また、第６のアンテナ１１０ｆにおいて受信された第１の受信周波数を使用するＷ−ＣＤＭＡに対応した受信信号は、第５のスイッチ１２０ｅおよびフィルタ８５ｂを介して利得可変増幅器４５ｃに入力され、利得可変増幅器４５ｃにおいて増幅され、復調回路２１０ｇにおいて受信アナログＩ/Ｑ信号へ復調された後、Ａ/Ｄ変換器３０ｆおよび３０ｆ’においてディジタル信号へ変換され、第４の受信ディジタルＩ/Ｑ信号としてベースバンド信号処理装置１０に入力される。
【０１２２】
また更に、第６のアンテナ１１０ｆにおいて受信された第２の受信周波数を使用するＷ−ＣＤＭＡに対応した受信信号は、第５のスイッチ１２０ｅおよびフィルタ８５ｃを介して利得可変増幅器４５ｆに入力され、利得可変増幅器４５ｆにおいて増幅され、復調回路２１０ｇにおいて受信アナログＩ/Ｑ信号へ復調された後、Ａ/Ｄ変換器３０ｆおよび３０ｆ’においてディジタル信号へ変換され、第５の受信ディジタルＩ/Ｑ信号としてベースバンド信号処理装置１０に入力される。
【０１２３】
以上の構成および動作の説明のように、第７のアンテナ１１０ｇに接続される復調回路２１０ｆを第１の受信周波数Ｗ−ＣＤＭＡおよび第２の受信周波数Ｗ−ＣＤＭＡの受信信号の復調回路として共有し、第６のアンテナ１１０ｆに接続される復調回路２１０ｇを第１の受信周波数を使用するＷ−ＣＤＭＡ、第２の受信周波数を使用するＷ−ＣＤＭＡおよび第２の受信周波数を使用するＧＳＭの受信信号の復調回路として共有する点が上記実施の形態７と異なる。
【０１２４】
図８に示した本発明の一実施の形態であるマルチバンド・マルチモード無線通信装置の主な効果は次の通りである。
【０１２５】
復調回路２１０ｆを第１の受信周波数Ｗ−ＣＤＭＡおよび第２の受信周波数Ｗ−ＣＤＭＡの受信信号の復調回路として共有し、第６のアンテナ１１０ｆに接続される復調回路２１０ｇを第１の受信周波数を使用するＷ−ＣＤＭＡ、第２の受信周波数を使用するＷ−ＣＤＭＡおよび第２の受信周波数を使用するＧＳＭの受信信号の復調回路として共有することにより、図８に示した本発明の一実施の形態であるマルチバンド・マルチモード無線通信装置は、上記実施の形態５乃至７に比べて回路面積の小型化が可能となる。
【０１２６】
（実施の形態９）
図９は本発明の一実施の形態であるマルチバンド・マルチモード無線通信装置を具備した携帯電話端末の無線部を示した回路図である。先ず、図９を参照して、本発明の一実施の形態であるマルチバンド・マルチモード無線通信装置の構成を説明する。
【０１２７】
図９において、２００ｄは変調回路である。５００ａは主に変調回路２００ｄ、利得可変増幅器４０ｂ、フィルタ８０ａ、電量増幅器９０ａ、デュプレクサ１００ａ、利得可変増幅器４５ａおよび復調回路２１０ｆから構成される送受信回路ブロックであり、５００ｂは主に変調回路２００ｄ、利得可変増幅器４０ｄ、フィルタ８０ｅ、電力増幅器９０ｃ、デュプレクサ１００ｂ、利得可変増幅器４５ｇ、復調回路２１０ｆから構成される送受信回路ブロックである。
【０１２８】
利得可変増幅器４０ｂおよび４０ｄがいずれも変調回路２００ｄに接続される点が上記実施の形態８と異なる。
【０１２９】
次に、図９を参照して、本発明の一実施の形態であるマルチバンド・マルチモード無線通信装置の動作を説明する。
【０１３０】
ベースバンド信号処理装置１０から出力される第１の送信周波数を使用するＷ−ＣＤＭＡに対応した送信ディジタルＩ/Ｑ信号は各々Ｄ/Ａ変換器２０ｄおよび２０ｄ’において送信アナログＩ/Ｑ信号に変換され、変調回路２００ｄにおいて第１の送信周波数へ周波数変換され、第１の送信信号として利得可変増幅器４０ｂおよびフィルタ８０ａを介して電力増幅器９０ａに入力され、電力増幅器９０ａにおいて送信電力値まで増幅された後、デュプレクサ１００ａおよび第６のスイッチ１２０ｆを介して第７のアンテナ１１０ｇから送信される。
【０１３１】
一方、ベースバンド信号処理装置１０から出力される第２の送信周波数を使用するＷ−ＣＤＭＡに対応した送信ディジタルＩ/Ｑ信号は各々Ｄ/Ａ変換器２０ｄおよび２０ｄ’において送信アナログＩ/Ｑ信号に変換され、変調回路２００ｄにおいて第２の送信周波数へ周波数変換され、第２の送信信号として利得可変増幅器４０ｄおよびフィルタ８０ｅを介して電力増幅器９０ｃに入力され、電力増幅器９０ｃにおいて送信電力値まで増幅された後、デュプレクサ１００ｂおよび第６のスイッチ１２０ｆを介して第７のアンテナ１１０ｇから送信される。
【０１３２】
以上の構成および動作の説明のように、変調回路２００ｄを第１の送信周波数を使用するＷ−ＣＤＭＡの変調回路および第２の送信周波数を使用するＷ−ＣＤＭＡの変調回路として共有する点が上記実施の形態８と異なる。
【０１３３】
図９に示した本発明の一実施の形態であるマルチバンド・マルチモード無線通信装置の主な効果は次の通りである。
【０１３４】
変調回路２００ｄを第１の送信周波数を使用するＷ−ＣＤＭＡの変調回路および第２の送信周波数を使用するＷ−ＣＤＭＡの変調回路として共有することにより、図９に示した本発明の一実施の形態であるマルチバンド・マルチモード無線通信装置は、上記実施の形態５乃至８に比べて回路面積の小型化が可能となる。
【０１３５】
（実施の形態１０）
上記実施の形態５乃至９では、一例としてシングルバンドＧＳＭおよびデュアルバンドＷ−ＣＤＭＡに対応する携帯電話端末に関して説明した。本発明の一実施の形態であるマルチバンド・マルチモード無線通信装置では、他の一例として、デュアルバンドＧＳＭおよびデュアルバンドＷ−ＣＤＭＡに対応する携帯電話端末に関して説明する。
【０１３６】
周波数帯域は、第１の送信周波数：１９２０〜１９８０ＭＨｚ、第１の受信周波数：２１１０〜２１７０ＭＨｚ、第２の送信周波数：１８５０〜１９１０ＭＨｚ、第２の受信周波数：１９３０〜１９９０ＭＨｚ、第３の送信周波数１７１０〜１７８５ＭＨｚ、第３の受信周波数：１８０５〜１８８０ＭＨｚとする。更に、ＧＳＭは第２の送信および受信周波数と第３の送信および受信周波数を使用し、Ｗ−ＣＤＭＡは第１の送信および受信周波数と第２の送信および受信周波数を使用する場合を例に挙げて説明する。
【０１３７】
図１０は本発明の一実施の形態であるマルチバンド・マルチモード無線通信装置を具備した携帯電話端末の無線部を示した回路図である。先ず、図１０を参照して、本発明の一実施の形態であるマルチバンド・マルチモード無線通信装置の構成を説明する。
【０１３８】
図１０において、３０ｃおよび３０ｃ’はＡ/Ｄ変換器であり、４０ｅは利得可変増幅器であり、４５ｇは利得可変増幅器であり、８０ｆおよび８０ｇはフィルタであり、８５ｄはフィルタであり、９０ｄは電力増幅器であり、１２０ｉは第９のスイッチであり、１１０ｈは第８のアンテナであり、２００ｄは変調回路であり、２１０ｈは復調回路であり、２２０ｇおよび２２０ｈは局部発振回路である。
【０１３９】
４００ｄは主に変調回路２００ｄ、利得可変増幅器４０ｅ、フィルタ８０ｆおよび８０ｇ、電力増幅器９０ｄから構成される送信回路ブロックであり、４５０ｌはフィルタ８５ｄ、利得可変増幅器４５ｇおよび復調回路２１０ｈから構成される受信回路ブロックである。
【０１４０】
次に、図１０を参照して、本発明の一実施の形態であるマルチバンド・マルチモード無線通信装置の動作を説明する。
【０１４１】
ベースバンド信号処理装置１０から出力される第１の送信周波数を使用するＷ−ＣＤＭＡに対応した送信ディジタルＩ/Ｑ信号は各々Ｄ/Ａ変換器２０ａおよび２０ａ’において送信アナログＩ/Ｑ信号に変換され、変調回路２００ａにおいて第１の送信周波数へ周波数変換され、第１の送信信号として利得可変増幅器４０ｂおよびフィルタ８０ａを介して電力増幅器９０ａに入力され、電力増幅器９０ａにおいて送信電力値まで増幅された後、デュプレクサ１００ａおよび第６のスイッチ１２０ｆを介して第７のアンテナ１１０ｇから送信される。一方、第７のアンテナ１１０ｇにおいて受信された第１の受信周波数を使用するＷ−ＣＤＭＡに対応した受信信号は、第６のスイッチ１２０ｆおよびデュプレクサ１００ａを介して利得可変増幅器４５ａに入力され、利得可変増幅器４５ａにおいて増幅され、復調回路２１０ａにおいて受信アナログＩ/Ｑ信号へ復調された後、Ａ/Ｄ変換器３０ａおよび３０ａ’においてディジタル信号へ変換され、第１の受信ディジタルＩ/Ｑ信号としてベースバンド信号処理装置１０に入力される。
【０１４２】
以上の動作により、第１の送信および受信周波数を使用するＷ−ＣＤＭＡ用の一対の送受信回路ブロック４００ａおよび４５０ａが実現される。
【０１４３】
ベースバンド信号処理装置１０から出力される第２の送信周波数を使用するＷ−ＣＤＭＡに対応した送信ディジタルＩ/Ｑ信号は各々Ｄ/Ａ変換器２０ｃおよび２０ｃ’において送信アナログＩ/Ｑ信号に変換され、変調回路２００ｃにおいて第２の送信周波数へ周波数変換され、第２の送信信号として利得可変増幅器４０ｄおよびフィルタ８０ｅを介して電力増幅器９０ｃに入力され、電力増幅器９０ｃにおいて送信電力値まで増幅された後、デュプレクサ１００ｂおよび第６のスイッチ１２０ｆを介して第７のアンテナ１１０ｇから送信される。一方、第７のアンテナ１１０ｇにおいて受信された第２の受信周波数を使用するＷ−ＣＤＭＡに対応した受信信号は、第６のスイッチ１２０ｆおよびデュプレクサ１００ｂを介して利得可変増幅器４５ｇに入力され、利得可変増幅器４５ｇにおいて増幅され、復調回路２１０ｅにおいて受信アナログＩ/Ｑ信号へ復調された後、Ａ/Ｄ変換器３０ｄおよび３０ｄ’においてディジタル信号へ変換され、第２の受信ディジタルＩ/Ｑ信号としてベースバンド信号処理装置１０に入力される。
【０１４４】
以上の動作により、第２の送信および受信周波数を使用するＷ−ＣＤＭＡ用の一対の送受信回路ブロック４００ｃおよび４５０ｅが実現される。
【０１４５】
ベースバンド信号処理装置１０から出力される第２の送信周波数を使用するＧＳＭに対応した送信ディジタルＩ/Ｑ信号は各々Ｄ/Ａ変換器２０ｂおよび２０ｂ’において送信アナログＩ/Ｑ信号に変換され、変調回路２００ｄにおいて第２の送信周波数へ周波数変換され、第２の送信信号として利得可変増幅器４０ｅおよびフィルタ８０ｆを介して電力増幅器９０ｄに入力され、電力増幅器９０ｄにおいて送信電力値まで増幅された後、第９のスイッチ１２０ｉを介して第８のアンテナ１１０ｈから送信される。一方、第８のアンテナ１１０ｈにおいて受信された第２の受信周波数を使用するＧＳＭに対応した受信信号は、第９のスイッチ１２０ｉおよびフィルタ８５ｃを介して利得可変増幅器４５ｆに入力され、利得可変増幅器４５ｆにおいて増幅され、復調回路２１０ｄにおいて受信アナログＩ/Ｑ信号へ復調された後、Ａ/Ｄ変換器３０ｃおよび３０ｃ’においてディジタル信号へ変換され、第３の受信ディジタルＩ/Ｑ信号としてベースバンド信号処理装置１０に入力される。
【０１４６】
以上の動作により、第２の送信および受信周波数を使用するＧＳＭ用の一対の送受信回路ブロック４００ｄおよび４５０ｄが実現される。
【０１４７】
ベースバンド信号処理装置１０から出力される第３の送信周波数を使用するＧＳＭに対応した送信ディジタルＩ/Ｑ信号は各々Ｄ/Ａ変換器２０ｂおよび２０ｂ’において送信アナログＩ/Ｑ信号に変換され、変調回路２００ｄにおいて第３の送信周波数へ周波数変換され、第３の送信信号として利得可変増幅器４０ｅおよびフィルタ８０ｆを介して電力増幅器９０ｄに入力され、電力増幅器９０ｄにおいて送信電力値まで増幅された後、第９のスイッチ１２０ｉを介して第８のアンテナ１１０ｈから送信される。一方、第８のアンテナ１１０ｈにおいて受信された第３の受信周波数を使用するＧＳＭに対応した受信信号は、第９のスイッチ１２０ｉおよびフィルタ８５ｄを介して利得可変増幅器４５ｈに入力され、利得可変増幅器４５ｈにおいて増幅され、復調回路２１０ｈにおいて受信アナログＩ/Ｑ信号へ復調された後、Ａ/Ｄ変換器３０ｅおよび３０ｅ’においてディジタル信号へ変換され、第４の受信ディジタルＩ/Ｑ信号としてベースバンド信号処理装置１０に入力される。
【０１４８】
以上の動作により、第３の送信および受信周波数を使用するＧＳＭ用の一対の送受信回路ブロック４００ｄおよび４５０ｌが実現される。
【０１４９】
更に、第８のアンテナ１１０ｈにおいて受信された第１の受信周波数を使用するＷ−ＣＤＭＡに対応した受信信号は、第９のスイッチ１２０ｉおよびフィルタ８５ｂを介して利得可変増幅器４５ｃに入力され、利得可変増幅器４５ｃにおいて増幅され、復調回路２１０ｂにおいて受信アナログＩ/Ｑ信号へ復調された後、Ａ/Ｄ変換器３０ｂおよび３０ｂ’においてディジタル信号へ変換され、第５の受信ディジタルＩ/Ｑ信号としてベースバンド信号処理装置１０に入力される。
【０１５０】
また更に、第８のアンテナ１１０ｈにおいて受信された第２の受信周波数を使用するＷ−ＣＤＭＡに対応した受信信号は、第９のスイッチ１２０ｉおよびフィルタ８５ｃを介して利得可変増幅器４５ｆに入力され、利得可変増幅器４５ｆにおいて増幅され、復調回路２１０ｄにおいて受信アナログＩ/Ｑ信号へ復調された後、Ａ/Ｄ変換器３０ｃおよび３０ｃ’においてディジタル信号へ変換され、第６の受信ディジタルＩ/Ｑ信号としてベースバンド信号処理装置１０に入力される。
【０１５１】
従って、主に変調回路２００ｄ、利得可変増幅器４０ｅ、フィルタ８０ｆおよび８０ｇ、電力増幅器９０ｄから構成される送信回路ブロック４００ｄは第２の送信周波数を使用するＧＳＭおよび第３の送信周波数を使用するＧＳＭの両方に対応する。
【０１５２】
また、主にフィルタ８５ｃ、利得可変増幅器４５ｆおよび変調回路２１０ｄから構成される受信回路ブロック４５０ｄは第２の受信周波数を使用するＷ−ＣＤＭＡおよび第２の受信周波数を使用するＧＳＭの両方式に対応する。
【０１５３】
第１の送信および受信周波数を使用するＷ−ＣＤＭＡの場合、ベースバンド信号処理装置１０は第１の受信ディジタルＩ/Ｑ信号と第５の受信ディジタルＩ/Ｑ信号とを位相、強度補正を行った後、合成する。また、第２の送信および受信周波数を使用するＷ−ＣＤＭＡの場合、ベースバンド信号処理装置１０は第２の受信ディジタルＩ/Ｑ信号と第６の受信ディジタルＩ/Ｑ信号とを位相、強度補正を行った後、合成する。
【０１５４】
第１の送信および受信周波数を使用するＷ−ＣＤＭＡの場合、第６のスイッチ１２０ｆはデュプレクサ１００ａに接続された端子に接続され、第９のスイッチ１２０ｉはフィルタ８５ｂに接続された端子に接続される。また、第２の送信および受信周波数を使用するＷ−ＣＤＭＡの場合、第６のスイッチ１２０ｆはデュプレクサ１００ｂに接続された端子に接続され、第９のスイッチ１２０ｉはフィルタ８５ｃに接続された端子に接続される。更にまた、第２の送信および受信周波数を使用するＧＳＭの場合、送信状態において第９のスイッチ１２０ｉはフィルタ８０ｇに接続された端子に接続され、受信状態において第９のスイッチ１２０ｉはフィルタ８５ｃに接続された端子に接続される。また、第３の送信および受信周波数を使用するＧＳＭの場合、送信状態において第９のスイッチ１２０ｉはフィルタ８０ｇに接続された端子に接続され、受信状態において第９のスイッチ１２０ｉはフィルタ８５ｄに接続された端子に接続される。
【０１５５】
局部発振回路２２０ｇは第１乃至第３の送信周波数を発振する周波数可変発振回路であり、局部発振回路２２０ｈは第１乃至第３の受信周波数を発振する周波数可変発振回路である。
【０１５６】
以上の構成および動作より、図１０に示した本発明の一実施の形態であるマルチバンド・マルチモード無線通信装置は、第１の送信および受信周波数を使用するＷ−ＣＤＭＡ用の一対の送受信回路ブロック４００ａおよび４５０ａに加えて受信回路ブロック４５０ｂから構成されるダイバーシティ受信機能を有する無線通信装置と、第２の送信および受信周波数を使用するＷ−ＣＤＭＡ用の一対の送受信回路ブロック４００ｃおよび４５０ｅに加えて受信回路ブロック４５０ｄから構成されるダイバーシティ受信機能を有する無線通信装置と、第２および第３の送信周波数を使用するＧＳＭ用の送信回路ブロック４００ｄと、第２の受信周波数を使用するＧＳＭ用の受信回路ブロック４５０ｄと、第３の受信周波数を使用するＧＳＭ用の受信回路ブロック４５０ｌとを有する。
【０１５７】
図１０に示した本発明の一実施の形態であるマルチバンド・マルチモード無線通信装置の主な効果は次の通りである。
【０１５８】
デュアルバンドＧＳＭおよびデュアルバンドＷ−ＣＤＭＡに対応し、かつＷ−ＣＤＭＡにおいてダイバーシティ受信に対応した携帯電話端末を２つの第７および第８のアンテナ１１０ｇ、１１０ｈを用いて実現することにより、従来３つのアンテナが必要であった携帯電話端末に比べて小型化が可能となる。
【０１５９】
第２の受信周波数において、ＧＳＭおよびＷ−ＣＤＭＡとで受信回路ブロック４５０ｄを共用することにより、第２の周波数を使用するＷ−ＣＤＭＡ用のダイバーシティ受信機が回路面積を増加させずに実現可能となる。
【０１６０】
また、第２の送信周波数を使用するＧＳＭおよび第３の周波数を使用するＧＳＭとで送信回路ブロック４００ｄを共用することにより、デュアルバンドＧＳＭ用の送信回路が回路面積を増加させずに実現可能となる。
【０１６１】
なお、図１０には示していないが、上記実施の形態１乃至９と同様に、少なくとも利得可変増幅器４５ａ、４５ｃ、４５ｆ〜４５ｈ、復調回路２１０ａ、２１０ｂ、２１０ｄ、２１０ｅおよび２１０ｈ、局部発振回路２２０ｇおよび２２０ｈを一つの半導体素子に実装することにより、回路あるいは半導体素子面積の小型化が可能となる。
【０１６２】
（実施の形態１１）
図１１は本発明の一実施の形態であるマルチバンド・マルチモード無線通信装置を具備した携帯電話端末の無線部を示した回路図である。先ず、図１１を参照して、本発明の一実施の形態であるマルチバンド・マルチモード無線通信装置の構成を説明する。
【０１６３】
図１１において、２２０ｉは局部発振回路である。局部発振回路２２０ｉが変調回路２００ａ、２００ｃ、２００ｄおよび復調回路２１０ｈに接続され、局部発振回路２２０ｆが復調回路２１０ａ、２１０ｂ、２１０ｄおよび２１０ｅに接続される点が上記実施の形態１０と異なる。
【０１６４】
次に、図１１を参照して、本発明の一実施の形態であるマルチバンド・マルチモード無線通信装置の動作を説明する。
【０１６５】
図１１に示した本発明の一実施の形態であるマルチバンド・マルチモード無線通信装置の動作は基本的に上記実施の形態１０と同様であり、局部発振回路２２０ｉが第１乃至第３の送信周波数および第３の受信周波数を発振する周波数可変発振回路である点が異なる。ＧＳＭでは送信および受信が互いに異なる時間において行われるため、変復調回路に接続される局部発振回路を共用し、時間において発振周波数を変更することが可能である。
【０１６６】
図１１に示した本発明の一実施の形態であるマルチバンド・マルチモード無線通信装置の効果は上記実施の形態１０と同様である。
【０１６７】
（実施の形態１２）
図１２は本発明の一実施の形態であるマルチバンド・マルチモード無線通信装置を具備した携帯電話端末の受信回路ブロックを示した回路図である。先ず、図１２を参照して、本発明の一実施の形態であるマルチバンド・マルチモード無線通信装置の受信回路ブロックの構成を説明する。
【０１６８】
４５ｉ、４５ｊおよび４５ｊ’は利得可変増幅器であり、５５ｃ、５５ｄおよび５５ｄ’はミキサであり、６０ｃおよび６０ｄは発振器であり、７０ｂは移相器であり、８５ｅおよび８５ｆはフィルタである。
【０１６９】
次に、図１２を参照して、本発明の一実施の形態であるマルチバンド・マルチモード無線通信装置の受信回路ブロックの動作を説明する。
【０１７０】
フィルタ８５ｅを介して利得可変増幅器４５ｉに入力された受信信号は、利得可変増幅器４５ｉにおいて増幅された後、ミキサ５５ｃに入力される。発振器６０ｄは受信周波数と数１００ｋＨｚ異なる周波数を発振する発振器であり、ミキサ５５ｃに接続される。ミキサ５５ｃにおいて受信信号は数１００ｋＨｚの受信中間周波数信号に変換され、フィルタ８５ｆを通過した後、二分されミキサ５５ｄおよび５５ｄ’に入力される。発振器６０ｃは数１００ｋＨｚの周波数を発振する発振器であり、ミキサ５５ｄおよび５５ｄ’に接続される。ミキサ５５ｄとミキサ５５ｄ’とではＩ/Ｑ信号の位相を９０度異なるようにするため、ミキサ５５ｄ’と発振器６０ｃとの間には移相器７０ｃが挿入される。ミキサ５５ｄに入力された受信中間周波数信号はベースバンド周波数へ周波数変換され、受信アナログＩ信号として利得可変増幅器４５ｊにおいて増幅される。一方、ミキサ５５ｄ’に入力された受信中間周波数信号はベースバンド周波数へ周波数変換され、受信アナログＱ信号として利得可変増幅器４５ｊ’において増幅される。なお、上記復調方式は一般的にローＩＦ（Intermediate Frequency）ダウンコンバージョンと呼ばれる。
【０１７１】
図１２に示した本発明の一実施の形態であるマルチバンド・マルチモード無線通信装置の受信回路ブロックの主な効果は次の通りである。
【０１７２】
上記実施の形態１におけるダイレクトダウンコンバージョンでは、受信信号を受信周波数から直接ベースバンド周波数に周波数変換するため、受信周波数近傍の妨害波もベースバンド周波数に変換し、妨害波が受信感低下を引き起こす。これに対して、図１２に示した本発明の一実施の形態であるマルチバンド・マルチモード無線通信装置の受信回路ブロックでは、利得可変増幅器４５ｉにおいて増幅された受信信号がミキサ５５ｃにおいて数１００ｋＨｚの中間周波数に変換され、妨害波と異なる周波数に変換されるため、妨害波をフィルタ８５ｆにおいて除去することにより、妨害波の影響を低減し、受信感度を向上することが可能となる。
【０１７３】
なお、図１２に示した本発明の一実施の形態であるマルチバンド・マルチモード無線通信装置の受信回路ブロックは上記実施の形態１乃至１１の受信回路ブロックに適用することが可能である。
【０１７４】
（実施の形態１３）
図１３は本発明の一実施の形態であるマルチバンド・マルチモード無線通信装置を具備した携帯電話端末の無線部の主にフロントエンド部および変復調部のモジュール構成を示したブロック図である。先ず、図１３を参照して、本発明の一実施の形態であるマルチバンド・マルチモード無線通信装置の構成を説明する。
【０１７５】
図１３において、６００ａは主にフィルタ８０ｇ、フィルタ８５ｂ〜８５ｄ、デュプレクサ１００ａおよび１００ｂから構成されるフロントエンド部を構成するモジュールの一形態であり、６００ｂは主に電力増幅器９０ａ、９０ｃおよび９０ｄから構成されるフロントエンド部を構成するモジュールの一形態であり、６００ｃは主に利得可変増幅器４０ａ、４０ｂおよび４０ｄ、変調回路２００ａ、２００ｃおよび２００ｄ、局部発振回路２２０ｇから構成される変復調部を構成するモジュールの一形態であり、６００ｄは利得可変増幅器４５ａ、４５ｆ〜４５ｈ、復調回路２１０ａ、２１０ｂ、２１０ｄ、２１０ｅおよび２１０ｈ、局部発振回路２２０ｈから構成される変復調部を構成するモジュールの一形態である。
【０１７６】
フィルタ８０ａ、８０ｅおよび８０ｆはモジュール６００ｃに実装しても構わない。
【０１７７】
図１３に示した本発明の一実施の形態であるマルチバンド・マルチモード無線通信装置の受信回路ブロックの主な効果は次の通りである。
【０１７８】
フロントエンド部を構成するモジュールとして、主に受動部品から構成されるフィルタおよびデュプレクサを一つのモジュールに実装し、主に能動部品から構成される電力増幅器に実装するため、各モジュールの設計の容易化が可能となる。更に、各モジュールを個別に設計可能なため、回路の最適化が容易となり、消費電力低下が可能となる。
【０１７９】
また、変復調部を、主に変調回路から構成されるモジュールと主に復調回路から構成されるモジュールとを別々に有することにより、送受信間干渉を低減することが容易となり、受信感度向上が可能となる。
【０１８０】
（実施の形態１４）
図１４は本発明の一実施の形態であるマルチバンド・マルチモード無線通信装置を具備した携帯電話端末の無線部のモジュール構成を示したブロック図である。先ず、図１４を参照して、本発明の一実施の形態であるマルチバンド・マルチモード無線通信装置の構成を説明する。
【０１８１】
図１４において、６００ｅはモジュール６００ｃおよび６００ｄから構成されるモジュールの一形態である。フィルタ８０ａ、８０ｅおよび８０ｆはモジュール６００ｅに実装しても構わない。すなわち、フロントエンド部と変復調部がモジュール６００ｅとして一体のモジュールに形成されている。
【０１８２】
図１４に示した本発明の一実施の形態であるマルチバンド・マルチモード無線通信装置の受信回路ブロックの主な効果は次の通りである。
【０１８３】
フロントエンド部及び変復調部を構成するモジュールとして、主に変調回路、復調回路および局部発振回路から構成されるモジュールと、主にフィルタおよびデュプレクサから構成されるモジュールと、主に電力増幅器から構成されるモジュールの、３つのモジュールを有することにより、図１４に示した本発明の一実施の形態であるマルチバンド・マルチモード無線通信装置では、変調回路および復調回路を別モジュールに実装した上記実施の形態１３に比べて、回路面積およびモジュールの小型化が可能となる。
【０１８４】
（実施の形態１５）
図１５は、本発明の一実施の形態であるマルチバンド・マルチモード無線通信装置を具備した携帯電話端末の無線部のモジュール構成を示したブロック図である。先ず、図１５を参照して、本発明の一実施の形態であるマルチバンド・マルチモード無線通信装置の構成を説明する。
【０１８５】
図１５において、６００ｆはモジュールａおよび６００ｂから構成されるモジュールの一形態であり、６００ｇはモジュール６００ｅおよび６００ｆ、フィルタ８０ａ、８０ｅおよび８０ｆから構成されるモジュールの一形態であり、６００ｈはモジュール６００ｇ、ベースバンド信号処理装置１０、Ｄ/Ａ変換器２０ａ〜２０ｃ’およびＡ/Ｄ変換器３０ａ〜３０ｅ’から構成されるモジュールの一形態である。すなわち、フロントエンド部と変復調部およびベースバンド部がモジュール６００ｈとして一体のモジュールに形成されている。
【０１８６】
図１５に示した本発明の一実施の形態であるマルチバンド・マルチモード無線通信装置の受信回路ブロックの、主な効果は次の通りである。
【０１８７】
主にフィルタおよびデュプレクサおよび電力増幅器から構成されるモジュールと、主に変調回路、復調回路および局部発振回路から構成されるモジュールの２つのモジュールを有することにより、図１４に示した本発明の一実施の形態であるマルチバンド・マルチモード無線通信装置では、変調回路および復調回路を別モジュールに実装した上記実施の形態１４に比べて、回路面積およびモジュールの小型化が可能となる。また、本発明の一実施の形態であるマルチバンド・マルチモード無線通信装置を具備する携帯電話端末は無線部の部品構成が単純化されるため、携帯電話端末の設計の容易化が可能となる。
【０１８８】
また、電力増幅器およびフィルタあるいはデュプレクサを同一のモジュールに実装するため、電力増幅器とフィルタあるいは電力増幅器とデュプレクサ間の回路設計が一貫して行えるため、回路面積の小型化、低消費電力化が可能となる。
【０１８９】
また更に、本発明の一実施の形態であるマルチバンド・マルチモード無線通信装置を一つのモジュールで実現することにより、すなわち、フロントエンド部および変復調部を構成するモジュールに加えてベースバンド部を構成するモジュールも含めて一体のモジュールとして形成することにより、他のモジュールの形態に比べて、回路面積およびモジュールの小型化が可能となる。また、本発明の一実施の形態であるマルチバンド・マルチモード無線通信装置を具備する携帯電話端末は無線部の部品構成が単純化されるため、携帯電話端末の設計の容易化が可能となる。
（実施の形態１６）
以上述べた本発明の各実施の形態になるマルチバンド・マルチモード無線通信装置は、その周辺回路を変更して実施することもできる。
【０１９０】
例えば、図１６の（ａ）に示すように、アンテナスイッチとして、ＳＰ３Ｔのスイッチに代えて、1個のＳＰ７Ｔのスイッチを用いることにより、７つの送受信経路を有するマルチバンド・マルチモード無線通信装置を構成することもできる。
【０１９１】
また、図１６の（ｂ）に示すように、アンテナスイッチとして、ダイプレクサとＳＰ３ＴのスイッチおよびＳＰ４Ｔのスイッチを用いた７つの送受信経路を有するマルチバンド・マルチモード無線通信装置を構成することもできる。
【０１９２】
さらに、図１６の（ｃ）に示すように、バンドパス・フィルタ（ＢＰＦ）と低雑音増幅回路（ＬＮＡ）を個別に配置したマルチバンド・マルチモード無線通信装置を構成することもできる。あるいは、図１６の（ｄ）に示すように、低雑音増幅回路（ＬＮＡ）を共用化し、バンドパス・フィルタ（ＢＰＦ）をフィルタバンク化したマルチバンド・マルチモード無線通信装置を構成することもできる。
（実施の形態１７）
以上、本発明の一形態であるマルチバンド・マルチモード無線通信装置を具備する回路として、携帯電話端末を例に挙げて説明した。しかし、本発明の一形態であるマルチバンド・マルチモード無線通信装置は携帯電話端末に限らず、ＰＤＡ、その他移動体通信端末に適用可能である。
【０１９３】
また、上記実施の形態１乃至４においてシングルバンドＧＳＭおよびシングルバンドＷ−ＣＤＭＡに対応した携帯電話端末を、上記実施の形態５乃至９においてシングルバンドＧＳＭおよびデュアルバンドＷ−ＣＤＭＡに対応した携帯電話端末を、上記実施の形態９乃至１６においてデュアルバンドＧＳＭおよびデュアルバンドＷ−ＣＤＭＡに対応した携帯電話端末を、各々例に挙げて説明した。しかし、本発明の一形態であるマルチバンド・マルチモード無線通信装置は上記バンド数に限定されることなく、任意のバンド数に対応する無線通信装置に適用可能である。また更に、無線通信方式は上記ＧＳＭおよびＷ−ＣＤＭＡに限定されることなく、任意のＴＤＤおよびＦＤＤ方式に適用可能である。
（実施の形態１８）
また更に、上記実施の形態１乃至１７において、ＦＤＤ方式であるＷ−ＣＤＭＡの２つの受信回路ブロックをダイバーシティ受信機能に対応する回路構成として説明したが、本発明の一形態であるマルチバンド・マルチモード無線通信装置はダイバーシティ受信に限定されることなく、ＭＩＭＯ（Multi Input Multi Output）など、信号を合成することにより通信容量の増加を図る任意の無線通信装置に適用可能である。
【０１９４】
本発明の上記各実施例（実施の形態）のマルチバンド・マルチモード無線通信装置は、携帯電話などの移動体通信端末に具備される、複数の周波数帯域および複数方式に対応した送受信回路の小型化および低消費化を実現する効果がある。また、携帯電話に限らず、車載器、家電製品、その他無線通信を用いる装置においてその効果を発揮するものである。
【図面の簡単な説明】
【０１９５】
【図１Ａ】本発明の一実施の形態であるマルチバンド・マルチモード無線通信装置の回路図である。
【図１Ｂ】図１Ａに示した無線通信装置におけるベースバンド信号処理装置の構成を示す図である。
【図２Ａ】本発明の実施形態２であるマルチバンド・マルチモード無線通信装置の回路図である。
【図２Ｂ】図２Ａに示した無線通信装置におけるベースバンド信号処理装置のスイッチ制御部の動作説明図である。
【図３Ａ】本発明の実施の形態３であるマルチバンド・マルチモード無線通信装置の回路図である。
【図３Ｂ】図３Ａに示した無線通信装置におけるベースバンド信号処理装置のスイッチ制御部の動作説明図である。
【図４Ａ】本発明の実施の形態４であるマルチバンド・マルチモード無線通信装置の回路図である。
【図４Ｂ】図４Ａに示した無線通信装置におけるベースバンド信号処理装置のスイッチ制御部の動作説明図である。
【図４Ｃ】図４Ａに示した無線通信装置の作用効果を説明する図である。
【図５Ａ】本発明の実施の形態５であるマルチバンド・マルチモード無線通信装置の回路図である。
【図５Ｂ】図５Ａに示した無線通信装置におけるベースバンド信号処理装置のスイッチ制御部の動作説明図である。
【図６】本発明の実施の形態６であるマルチバンド・マルチモード無線通信装置の回路図である。
【図７】本発明の実施の形態７であるマルチバンド・マルチモード無線通信装置の回路図である。
【図８】本発明の実施の形態８であるマルチバンド・マルチモード無線通信装置の回路図である。
【図９】本発明の実施の形態９であるマルチバンド・マルチモード無線通信装置の回路図である。
【図１０】本発明の実施の形態１０であるマルチバンド・マルチモード無線通信装置の回路図である。
【図１１】本発明の実施の形態１１であるマルチバンド・マルチモード無線通信装置の回路図である。
【図１２】本発明の実施の形態１２であるマルチバンド・マルチモード無線通信装置の受信系回路図である。
【図１３】本発明の実施の形態１３であるマルチバンド・マルチモード無線通信装置のもうジュール形態を示した図である。
【図１４】本発明の実施の形態１４であるマルチバンド・マルチモード無線通信装置のもうジュール形態を示した図である。
【図１５】本発明の実施の形態１５であるマルチバンド・マルチモード無線通信装置のもうジュール形態を示した図である。
【図１６】本発明の各実施の形態における周辺回路の変更例を示す図である。
【符号の説明】
【０１９６】
１０  ベースバンド信号処理装置
２０  Ｄ/Ａ変換器
３０  Ａ/Ｄ変換器
４０  利得可変増幅器
４５  利得可変増幅器
５０  ミキサ
５５  ミキサ
６０  発振器
７０  移相器
８０  フィルタ
８５  フィルタ
９０  電力増幅器
１００  デュプレクサ
１１０  アンテナ
１２０  スイッチ
１３０  振幅変調比較器
１４０  位相変調比較器
１５０  方向性結合器
１６０  電力検波器
２００  変調回路
２１０  復調回路
２２０  局部発振回路
３００  半導体素子
４００  送信回路ブロック
４５０  受信回路ブロック
５００  送受信回路ブロック
６００  モジュールの一形態。
【図１Ａ】
2007019939.tif 000003
【図１Ｂ】
2007019939.tif 000004
【図２Ａ】
2007019939.tif 000005
【図２Ｂ】
2007019939.tif 000006
【図３Ａ】
2007019939.tif 000007
【図３Ｂ】
2007019939.tif 000008
【図４Ａ】
2007019939.tif 000009
【図４Ｂ】
2007019939.tif 000010
【図４Ｃ】
2007019939.tif 000011
【図５Ａ】
2007019939.tif 000012
【図５Ｂ】
2007019939.tif 000013
【図６】
2007019939.tif 000014
【図７】
2007019939.tif 000015
【図８】
2007019939.tif 000016
【図９】
2007019939.tif 000017
【図１０】
2007019939.tif 000018
【図１１】
2007019939.tif 000019
【図１２】
2007019939.tif 000020
【図１３】
2007019939.tif 000021
【図１４】
2007019939.tif 000022
【図１５】
2007019939.tif 000023
【図１６】
2007019939.tif 000024